(57)【要約】【課題】  電子辞書等の電子機器においてメモリカードに書き込まれた辞書データを、ユーザが許可した他の電子機器において使用可能とすること。【解決手段】  電子辞書１０ａは、ＰＣ４０から辞書ＤＢ３１ａをダウンロードする。そして、ダウンロードした辞書ＤＢ３１ａをメモリカード３０ａに書き込む際に、電子辞書１０ａの装置ＩＤを電子辞書ＩＤ３３１ａとして、メモリカード３０ａ内に登録する。さらに、メモリカード３０ａ内の辞書ＤＢ３１ａの使用を許可する携帯電話機２０ａの携帯ＩＤを登録携帯ＩＤ３３３ａとして、メモリカード３０ａ内に登録する。一方、携帯電話機２０ａ側では、メモリカード３０ａ内に自機の携帯ＩＤが登録携帯ＩＤ３３３ａとして登録されている場合に、辞書ＤＢ３１ａの使用を許可する制御を行い、登録されていない場合には使用不可としてその旨をメッセージ表示する制御を行う。【選択図】  図３
2006099669.tif 000002
【特許請求の範囲】
【請求項１】
自機の通信用識別情報を記憶する通信用識別情報記憶手段と、
この通信用識別情報記憶手段により記憶された通信用識別情報を用いて公衆回線網を通じた通信処理を実行する通信処理手段と、
記憶媒体を着脱自在に装着する装着部と、
この装着部に装着された記憶媒体に辞書データが書き込まれているか否かを検知する辞書データ検知手段と、
この辞書データ検知手段により辞書データが書き込まれていると検知された場合に、当該辞書データに対応づけて設定されている識別情報を当該記憶媒体から読み出す読出手段と、
この読出手段により読み出された識別情報と前記通信用識別情報記憶手段に記憶された通信用識別情報とから、前記装着部に装着された記憶媒体に書き込まれている辞書データの使用可否を判別する使用可否判別手段と、
この使用可否判別手段により使用可と判別された場合に、前記装着部に装着された記憶媒体に書き込まれている辞書データの内容をユーザ操作に応じて表示する制御を行う辞書データ表示制御手段と、
を備えることを特徴とする電子機器。
【請求項２】
識別情報と当該識別情報によって認証される通信用識別情報とを対応づけて記憶し、受信する通信用識別情報の認証処理を実行して認証結果を送信する管理サーバと通信可能に接続された電子機器であって、
自機の通信用識別情報を記憶する通信用識別情報記憶手段と、
この通信用識別情報記憶手段により記憶された通信用識別情報を用いて公衆回線網を通じた通信処理を実行する通信処理手段と、
記憶媒体を着脱自在に装着する装着部と、
この装着部に装着された記憶媒体に辞書データが書き込まれているか否かを検知する辞書データ検知手段と、
この辞書データ検知手段により辞書データが書き込まれていると検知された場合に、当該辞書データに対応づけて設定されている識別情報を当該記憶媒体から読み出す読出手段と、
この読出手段により読み出された識別情報及び前記通信用識別情報記憶手段に記憶された通信用識別情報を前記管理サーバに送信して、前記カード装着部に装着された記憶媒体に書き込まれている辞書データの使用可否を問い合わせる使用可否問合せ手段と、
この使用可否問合せ手段による問合せ結果が使用可である場合に、前記装着部に装着された記憶媒体に書き込まれている辞書データの内容をユーザ操作に応じて表示する制御を行う表示制御手段と、
を備えることを特徴とする電子機器。
【請求項３】
前記辞書データは、見出語と当該見出語の説明情報とが複数対応づけられ、所定の辞書として包括された辞書全体情報の中からユーザ操作に従って選択された部分的な情報であることを特徴とする請求項１又は２に記載の電子機器。
【請求項４】
記憶媒体を着脱自在に装着する装着部と、
見出語と当該見出語の説明情報とが複数対応づけられ、所定の辞書として包括された辞書全体情報の中からユーザ操作に従って選択された見出語の情報が、前記装着部に装着された記憶媒体に辞書データとして書き込まれているか否かを検知する辞書データ検知手段と、
前記辞書全体情報を記憶し、受信した見出語に対応する説明情報を送信する辞書サーバとの間で、前記辞書データ検知手段により辞書データが書き込まれていると検知された場合に通信を行い、当該辞書データに含まれている見出語に対応する説明情報を取得する説明情報通信取得手段と、
この説明情報通信取得手段により取得された説明情報を表示する制御を行う説明情報表示制御手段と、
を備えることを特徴とする電子機器。
【請求項５】
記憶媒体を着脱自在に装着する装着部と、
この装着部に装着された記憶媒体に辞書データを書き込む辞書データ書込手段と、
ユーザ操作に従って、前記辞書データ書込手段によって前記記憶媒体に書き込まれた辞書データの閲覧表示を可能とする他の電子機器の識別情報を当該記憶媒体に書き込む識別情報書込手段と、
を備えることを特徴とする電子機器。
【請求項６】
自機の識別情報を記憶する識別情報記憶手段と、
記憶媒体を着脱自在に装着する装着部と、
この装着部に装着された記憶媒体に辞書データを書き込む辞書データ書込手段と、
この辞書データ書込手段による辞書データの書き込み時に、前記識別情報記憶手段に記憶された識別情報を当該記憶媒体に書き込む識別情報書込手段と、
ユーザ操作に従って、当該記憶媒体内の辞書データの閲覧表示を可能とする他の電子機器の識別情報を入力する他機識別情報入力手段と、
識別情報と当該識別情報によって認証される認証対象識別情報とを対応づけて記憶し、認証対象識別情報の認証処理を実行する管理サーバに対して、前記他機識別情報入力手段により入力された識別情報を認証対象識別情報とし、前記識別情報書込手段が書き込んだ識別情報と対応づけて送信する制御を行って前記管理サーバに登録させる登録手段と、
を備えることを特徴とする電子機器。
【請求項７】
前記辞書データは、見出語と当該見出語の説明情報とが複数対応づけられ、所定の辞書として包括された辞書全体情報と、前記辞書全体情報の中からユーザ操作に従って選択された見出語及び当該見出語の説明情報である辞書部分情報と、前記辞書全体情報の中からユーザ操作に従って選択された見出語の情報である見出語情報との何れかの種類の辞書データであることを特徴とする請求項６に記載の電子機器。
【請求項８】
前記管理サーバは、識別情報に対応づけて更に辞書データの種類を記憶し、辞書データの種類に応じた認証を行い、
前記登録手段は、前記辞書データ書込手段が書き込んだ辞書データの種類を更に前記管理サーバに送信して登録させる種類登録手段を有する、
ことを特徴とする請求項７に記載の電子機器。
【請求項９】
電子機器との間で通信を行い、所定の課金処理を行う管理サーバにおいて、
記憶媒体内に辞書データを書き込む辞書データ書込手段を有する電子機器の書込機器識別情報と、当該書込機器識別情報の電子機器によって書き込まれた記憶媒体内の辞書データを閲覧表示可能な電子機器の閲覧機器識別情報とを対応づけて記憶する記憶手段と、
通信接続される電子機器から書込機器識別情報及び当該電子機器の識別情報を受信する受信手段と、
この受信手段により受信された書込機器識別情報と対応づけて前記記憶手段に記憶されている閲覧機器識別情報に基づいて、前記受信された識別情報の認証を行う認証手段と、
この認証手段による認証結果に応じて異なる課金額を設定して前記課金処理を行う課金額設定手段と、
を備えることを特徴とする管理サーバ。
【請求項１０】
前記辞書データには、見出語と当該見出語の説明情報とが複数対応づけられ、所定の辞書として包括された辞書全体情報と、前記辞書全体情報の中からユーザ操作に従って選択された見出語及び当該見出語の説明情報である辞書部分情報と、前記辞書全体情報の中からユーザ操作に従って選択された見出語の情報である見出語情報との辞書データの種類があり、
前記受信手段は、閲覧利用する辞書データの種類を受信するデータ種類受信手段を有し、
前記課金額設定手段は、前記データ種類受信手段により受信された辞書データの種類に応じて異なる課金額を設定する種類別課金額設定手段を有する、
ことを特徴とする請求項９に記載の管理サーバ。
【請求項１１】
記憶媒体を着脱自在に装着する装着部を備えたコンピュータに、
自機の通信用識別情報を記憶する通信用識別情報記憶機能と、
この通信用識別情報記憶機能により記憶された通信用識別情報を用いて公衆回線網を通じた通信処理を実行する通信処理機能と、
前記装着部に装着された記憶媒体に辞書データが書き込まれているか否かを検知する辞書データ検知機能と、
この辞書データ検知機能により辞書データが書き込まれていると検知された場合に、当該辞書データに対応づけて設定されている識別情報を当該記憶媒体から読み出す読出機能と、
この読出機能により読み出された識別情報と前記通信用識別情報記憶機能に記憶された通信用識別情報とから、前記装着部に装着された記憶媒体に書き込まれている辞書データの使用可否を判別する使用可否判別機能と、
この使用可否判別機能により使用可と判別された場合に、前記装着部に装着された記憶媒体に書き込まれている辞書データの内容をユーザ操作に応じて表示する制御を行う辞書データ表示制御機能と、
を実現させるためのプログラム。
【請求項１２】
記憶媒体を着脱自在に装着する装着部を備え、識別情報と当該識別情報によって認証される通信用識別情報とを対応づけて記憶し、受信する通信用識別情報の認証処理を実行して認証結果を送信する管理サーバと通信可能に接続されたコンピュータに、
自機の通信用識別情報を記憶する通信用識別情報記憶機能と、
この通信用識別情報記憶機能により記憶された通信用識別情報を用いて公衆回線網を通じた通信処理を実行する通信処理機能と、
前記装着部に装着された記憶媒体に辞書データが書き込まれているか否かを検知する辞書データ検知機能と、
この辞書データ検知機能により辞書データが書き込まれていると検知された場合に、当該辞書データに対応づけて設定されている識別情報を当該記憶媒体から読み出す読出機能と、
この読出機能により読み出された識別情報及び前記通信用識別情報記憶機能に記憶された通信用識別情報を前記管理サーバに送信して、前記カード装着部に装着された記憶媒体に書き込まれている辞書データの使用可否を問い合わせる使用可否問合せ機能と、
この使用可否問合せ機能による問合せ結果が使用可である場合に、前記装着部に装着された記憶媒体に書き込まれている辞書データの内容をユーザ操作に応じて表示する制御を行う表示制御機能と、
を実現させるためのプログラム。
【請求項１３】
記憶媒体を着脱自在に装着する装着部を備えたコンピュータに、
見出語と当該見出語の説明情報とが複数対応づけられ、所定の辞書として包括された辞書全体情報の中からユーザ操作に従って選択された見出語の情報が、前記装着部に装着された記憶媒体に辞書データとして書き込まれているか否かを検知する辞書データ検知機能と、
前記辞書全体情報を記憶し、受信した見出語に対応する説明情報を送信する辞書サーバとの間で、前記辞書データ検知機能により辞書データが書き込まれていると検知された場合に通信を行い、当該辞書データに含まれている見出語に対応する説明情報を取得する説明情報通信取得機能と、
この説明情報通信取得機能により取得された説明情報を表示する制御を行う説明情報表示制御機能と、
を実現させるためのプログラム。
【請求項１４】
記憶媒体を着脱自在に装着する装着部を備えたコンピュータに、
前記装着部に装着された記憶媒体に辞書データを書き込む辞書データ書込機能と、
この辞書データ書込機能による辞書データの書き込み時に、ユーザ操作に従って、当該記憶媒体内の辞書データの閲覧表示を可能とする他の電子機器の識別情報を当該記憶媒体に書き込む識別情報書込機能と、
を実現させるためのプログラム。
【請求項１５】
記憶媒体を着脱自在に装着する装着部を備えたコンピュータに、
自機の識別情報を記憶する識別情報記憶機能と、
前記装着部に装着された記憶媒体に辞書データを書き込む辞書データ書込機能と、
この辞書データ書込機能による辞書データの書き込み時に、前記識別情報記憶機能に記憶された識別情報を当該記憶媒体に書き込む識別情報書込機能と、
ユーザ操作に従って、当該記憶媒体内の辞書データの閲覧表示を可能とする他の電子機器の識別情報を入力する他機識別情報入力機能と、
識別情報と当該識別情報によって認証される認証対象識別情報とを対応づけて記憶し、認証対象識別情報の認証処理を実行する管理サーバに対して、前記他機識別情報入力機能により入力された識別情報を認証対象識別情報とし、前記識別情報書込機能が書き込んだ識別情報と対応づけて送信する制御を行って前記管理サーバに登録させる登録機能と、
を実現させるためのプログラム。
【請求項１６】
電子機器との間で通信を行い、所定の課金処理を行うコンピュータに、
記憶媒体内に辞書データを書き込む辞書データ書込手段を有する電子機器の書込機器識別情報と、当該書込機器識別情報の電子機器によって書き込まれた記憶媒体内の辞書データを閲覧表示可能な電子機器の閲覧機器識別情報とを対応づけて記憶する記憶機能と、
通信接続される電子機器から書込機器識別情報及び当該電子機器の識別情報を受信する受信機能と、
この受信機能により受信された書込機器識別情報と対応づけて前記記憶機能に記憶されている閲覧機器識別情報に基づいて、前記受信された識別情報の認証を行う認証機能と、
この認証機能による認証結果に応じて異なる課金額を設定して前記課金処理を行う課金額設定機能と、
を実現させるためのプログラム。
【発明の詳細な説明】
【技術分野】
【０００１】
本発明は、記憶媒体を着脱自在に装着する装着部を備えた電子機器、管理サーバ及びプログラムに関する。
【背景技術】
【０００２】
従来から、インターネット等の情報通信網上において音楽データや画像データ等の著作物を伝達する際、当該著作物の所有者に対する著作権保護を目的として、例えばコンテンツデータを暗号化し、不正な複製を防止する技術が開発されている（特許文献１参照。）。
【特許文献１】特開２００２−９１８２７号公報
【０００３】
一方で、辞書データベース（Data Base；以下「ＤＢ」と言う。）が内蔵された電子辞書と呼ばれる電子機器が知られている。辞書ＤＢには、例えば、見出語と、当該見出語の意味や、見出語を用いた用例、成句、発音、解説等の関連情報等を含む説明情報とが対応付けられて記憶され、文字を入力することにより、入力文字に適合する見出語の説明情報を辞書ＤＢの中から読み出して表示させることができる。
【発明の開示】
【発明が解決しようとする課題】
【０００４】
ところで、前述の電子辞書において、メモリカードを装着するスロットを備えたものがある。この種の電子辞書においては、例えば外部装置から辞書ＤＢ等のデータをダウンロードして格納しておくことにより、当該ダウンロードした情報を電子辞書において利用することができるようになっている。この場合には、例えばメモリカード内に電子辞書本体のＩＤを登録しておくことにより、当該メモリカードの不正利用を防止するといったことが行われている。
【０００５】
その一方で、近年では、例えば携帯電話機など、ユーザが常時携帯する電子機器において、メモリカードを装着するスロットを備えたものが普及してきており、前述のように電子辞書においてメモリカードに書き込んだデータを、自身が所有する他の電子機器で共有したいという要望があった。しかしながら、前述の特許文献１の技術を用いてメモリカード内のデータを単に暗号化するだけでは、正当なユーザが複数の電子機器間で共有するための仕組みを実現することはできなかった。
【０００６】
そこで本発明は、上記した従来の問題に鑑み、電子辞書等の電子機器においてメモリカードに書き込まれた辞書データを、ユーザが許可した他の電子機器において使用可能とすることを目的とする。
【課題を解決するための手段】
【０００７】
以上の課題を解決するため、請求項１に記載の発明の電子機器は、
自機の通信用識別情報を記憶する通信用識別情報記憶手段（例えば、図５に示す携帯ＩＤ２８３ａ）と、
この通信用識別情報記憶手段により記憶された通信用識別情報を用いて公衆回線網を通じた通信処理を実行する通信処理手段（例えば、図５に示す送話装置２２０，受話装置２３０）と、
記憶媒体を着脱自在に装着する装着部（例えば、図５に示すカードスロット２９０）と、
この装着部に装着された記憶媒体に辞書データが書き込まれているか否かを検知する辞書データ検知手段（例えば、図５に示すＣＰＵ２１０；図８に示すステップｃ２０）と、
この辞書データ検知手段により辞書データが書き込まれていると検知された場合に、当該辞書データに対応づけて設定されている識別情報を当該記憶媒体から読み出す読出手段（例えば、図５に示すＣＰＵ２１０；図８に示すステップｃ３０）と、
この読出手段により読み出された識別情報と前記通信用識別情報記憶手段に記憶された通信用識別情報とから、前記装着部に装着された記憶媒体に書き込まれている辞書データの使用可否を判別する使用可否判別手段（例えば、図５に示すＣＰＵ２１０；図８に示すステップｃ４０）と、
この使用可否判別手段により使用可と判別された場合に、前記装着部に装着された記憶媒体に書き込まれている辞書データの内容をユーザ操作に応じて表示する制御を行う辞書データ表示制御手段（例えば、図５に示すＣＰＵ２１０；図８に示すステップｃ５０）と、
を備えることを特徴としている。
【０００８】
そして、請求項１１に記載の発明のプログラムは、
記憶媒体を着脱自在に装着する装着部（例えば、図５に示すカードスロット２９０）を備えたコンピュータに、
自機の通信用識別情報を記憶する通信用識別情報記憶機能（例えば、図５に示す携帯ＩＤ２８３ａ）と、
この通信用識別情報記憶機能により記憶された通信用識別情報を用いて公衆回線網を通じた通信処理を実行する通信処理機能（例えば、図５に示す送話装置２２０，受話装置２３０）と、
前記装着部に装着された記憶媒体に辞書データが書き込まれているか否かを検知する辞書データ検知機能（例えば、図５に示すＣＰＵ２１０；図８に示すステップｃ２０）と、
この辞書データ検知機能により辞書データが書き込まれていると検知された場合に、当該辞書データに対応づけて設定されている識別情報を当該記憶媒体から読み出す読出機能（例えば、図５に示すＣＰＵ２１０；図８に示すステップｃ３０）と、
この読出機能により読み出された識別情報と前記通信用識別情報記憶機能に記憶された通信用識別情報とから、前記装着部に装着された記憶媒体に書き込まれている辞書データの使用可否を判別する使用可否判別機能（例えば、図５に示すＣＰＵ２１０；図８に示すステップｃ４０）と、
この使用可否判別機能により使用可と判別された場合に、前記装着部に装着された記憶媒体に書き込まれている辞書データの内容をユーザ操作に応じて表示する制御を行う辞書データ表示制御機能（例えば、図５に示すＣＰＵ２１０；図８に示すステップｃ５０）と、
を実現させるためのプログラムである。
【０００９】
また、請求項２に記載の発明の電子機器は、
識別情報と当該識別情報によって認証される通信用識別情報とを対応づけて記憶し、受信する通信用識別情報の認証処理を実行して認証結果を送信する管理サーバと通信可能に接続された電子機器であって、
自機の通信用識別情報を記憶する通信用識別情報記憶手段（例えば、図５に示す携帯ＩＤ２８３ａ）と、
この通信用識別情報記憶手段により記憶された通信用識別情報を用いて公衆回線網を通じた通信処理を実行する通信処理手段（例えば、図５に示す送話装置２２０，受話装置２３０）と、
記憶媒体を着脱自在に装着する装着部（例えば、図５に示すカードスロット２９０）と、
この装着部に装着された記憶媒体に辞書データが書き込まれているか否かを検知する辞書データ検知手段（例えば、図５に示すＣＰＵ２１０；図１６に示すステップｃ２０）と、
この辞書データ検知手段により辞書データが書き込まれていると検知された場合に、当該辞書データに対応づけて設定されている識別情報を当該記憶媒体から読み出す読出手段（例えば、図５に示すＣＰＵ２１０；図１６に示すステップｃ３０）と、
この読出手段により読み出された識別情報及び前記通信用識別情報記憶手段に記憶された通信用識別情報を前記管理サーバに送信して、前記カード装着部に装着された記憶媒体に書き込まれている辞書データの使用可否を問い合わせる使用可否問合せ手段（例えば、図５に示すＣＰＵ２１０：図１６に示すステップｆ４０）と、
この使用可否問合せ手段による問合せ結果が使用可である場合に、前記装着部に装着された記憶媒体に書き込まれている辞書データの内容をユーザ操作に応じて表示する制御を行う表示制御手段（例えば、図５に示すＣＰＵ２１０；図１６に示すステップｃ５０）と、
を備えることを特徴としている。
【００１０】
そして、請求項１２に記載の発明のプログラムは、
記憶媒体を着脱自在に装着する装着部（例えば、図５に示すカードスロット２９０）を備え、識別情報と当該識別情報によって認証される通信用識別情報とを対応づけて記憶し、受信する通信用識別情報の認証処理を実行して認証結果を送信する管理サーバと通信可能に接続されたコンピュータに、
自機の通信用識別情報を記憶する通信用識別情報記憶機能（例えば、図５に示す携帯ＩＤ２８３ａ）と、
この通信用識別情報記憶機能により記憶された通信用識別情報を用いて公衆回線網を通じた通信処理を実行する通信処理機能（例えば、図５に示す送話装置２２０，受話装置２３０）と、
前記装着部に装着された記憶媒体に辞書データが書き込まれているか否かを検知する辞書データ検知機能（例えば、図５に示すＣＰＵ２１０；図１６に示すステップｃ２０）と、
この辞書データ検知機能により辞書データが書き込まれていると検知された場合に、当該辞書データに対応づけて設定されている識別情報を当該記憶媒体から読み出す読出機能（例えば、図５に示すＣＰＵ２１０；図１６に示すステップｃ３０）と、
この読出機能により読み出された識別情報及び前記通信用識別情報記憶機能に記憶された通信用識別情報を前記管理サーバに送信して、前記カード装着部に装着された記憶媒体に書き込まれている辞書データの使用可否を問い合わせる使用可否問合せ機能（例えば、図５に示すＣＰＵ２１０：図１６に示すステップｆ４０）と、
この使用可否問合せ機能による問合せ結果が使用可である場合に、前記装着部に装着された記憶媒体に書き込まれている辞書データの内容をユーザ操作に応じて表示する制御を行う表示制御機能（例えば、図５に示すＣＰＵ２１０；図１６に示すステップｃ５０）と、
を実現させるためのプログラムである。
【００１１】
また、請求項３に記載の発明は、請求項１又は２に記載の電子機器において、
前記辞書データは、見出語と当該見出語の説明情報とが複数対応づけられ、所定の辞書として包括された辞書全体情報の中からユーザ操作に従って選択された部分的な情報であることを特徴としている。
【００１２】
また、請求項４に記載の発明の電子機器は、
記憶媒体を着脱自在に装着する装着部（例えば、図５に示すカードスロット２９０）と、
見出語と当該見出語の説明情報とが複数対応づけられ、所定の辞書として包括された辞書全体情報の中からユーザ操作に従って選択された見出語の情報が、前記装着部に装着された記憶媒体に辞書データとして書き込まれているか否かを検知する辞書データ検知手段（例えば、図２２に示すＣＰＵ２１０；図２８に示すステップｊ４０）と、
前記辞書全体情報を記憶し、受信した見出語に対応する説明情報を送信する辞書サーバとの間で、前記辞書データ検知手段により辞書データが書き込まれていると検知された場合に通信を行い、当該辞書データに含まれている見出語に対応する説明情報を取得する説明情報通信取得手段（例えば、図２２に示すＣＰＵ２１０；図２９に示すステップｋ６０）と、
この説明情報通信取得手段により取得された説明情報を表示する制御を行う説明情報表示制御手段（例えば、図２２に示すＣＰＵ２１０；図２９に示すステップｋ７０）と、
を備えることを特徴としている。
【００１３】
そして、請求項１３に記載の発明のプログラムは、
記憶媒体を着脱自在に装着する装着部を備えたコンピュータに、
見出語と当該見出語の説明情報とが複数対応づけられ、所定の辞書として包括された辞書全体情報の中からユーザ操作に従って選択された見出語の情報が、前記装着部に装着された記憶媒体に辞書データとして書き込まれているか否かを検知する辞書データ検知機能と、
前記辞書全体情報を記憶し、受信した見出語に対応する説明情報を送信する辞書サーバとの間で、前記辞書データ検知機能により辞書データが書き込まれていると検知された場合に通信を行い、当該辞書データに含まれている見出語に対応する説明情報を取得する説明情報通信取得機能と、
この説明情報通信取得機能により取得された説明情報を表示する制御を行う説明情報表示制御機能と、
を実現させるためのプログラムである。
【００１４】
また、請求項５に記載の発明の電子機器は、
記憶媒体を着脱自在に装着する装着部（例えば、図１２に示すカードスロット１７０）と、
この装着部に装着された記憶媒体に辞書データを書き込む辞書データ書込手段（例えば、図１２に示すＣＰＵ１１０；図６に示すステップａ３０）と、
ユーザ操作に従って、前記辞書データ書込手段によって前記記憶媒体に書き込まれた辞書データの閲覧表示を可能とする他の電子機器の識別情報を当該記憶媒体に書き込む識別情報書込手段（例えば、図１２に示すＣＰＵ１１０；図６に示すステップａ６０，ａ７０）と、
を備えることを特徴としている。
【００１５】
そして、請求項１４に記載の発明のプログラムは、
記憶媒体を着脱自在に装着する装着部（例えば、図１２に示すカードスロット１７０）とを備えたコンピュータに、
前記装着部に装着された記憶媒体に辞書データを書き込む辞書データ書込機能（例えば、図１２に示すＣＰＵ１１０；図６に示すステップａ３０）と、
この辞書データ書込機能による辞書データの書き込み時に、ユーザ操作に従って、当該記憶媒体内の辞書データの閲覧表示を可能とする他の電子機器の識別情報を当該記憶媒体に書き込む識別情報書込機能（例えば、図１２に示すＣＰＵ１１０；図６に示すステップａ６０，ａ７０）と、
を実現させるためのプログラムである。
【００１６】
また、請求項６に記載の発明の電子機器は、
自機の識別情報を記憶する識別情報記憶手段（例えば、図２０に示す電子辞書ＩＤ３７ｃ）と、
記憶媒体を着脱自在に装着する装着部（例えば、図２０に示すカードスロット１７０）と、
この装着部に装着された記憶媒体に辞書データを書き込む辞書データ書込手段（例えば、図２０に示すＣＰＵ１１０；図１５に示すステップａ３０）と、
この辞書データ書込手段による辞書データの書き込み時に、前記識別情報記憶手段に記憶された識別情報を当該記憶媒体に書き込む識別情報書込手段（例えば、図２０に示すＣＰＵ１１０；図１５に示すステップａ４０）と、
ユーザ操作に従って、当該記憶媒体内の辞書データの閲覧表示を可能とする他の電子機器の識別情報を入力する他機識別情報入力手段（例えば、図２０に示すＣＰＵ１１０；図１５に示すステップａ６０）と、
識別情報と当該識別情報によって認証される認証対象識別情報とを対応づけて記憶し、認証対象識別情報の認証処理を実行する管理サーバに対して、前記他機識別情報入力手段により入力された識別情報を認証対象識別情報とし、前記識別情報書込手段が書き込んだ識別情報と対応づけて送信する制御を行って前記管理サーバに登録させる登録手段（例えば、図２０に示すＣＰＵ１１０；図１５に示すステップｅ７０）と、
を備えることを特徴としている。
【００１７】
そして、請求項１５に記載の発明のプログラムは、
記憶媒体を着脱自在に装着する装着部（例えば、図２０に示すカードスロット１７０）を備えたコンピュータに、
自機の識別情報を記憶する識別情報記憶機能（例えば、図２０に示す電子辞書ＩＤ３７ｃ）と、
前記装着部に装着された記憶媒体に辞書データを書き込む辞書データ書込機能（例えば、図２０に示すＣＰＵ１１０；図１５に示すステップａ３０）と、
この辞書データ書込機能による辞書データの書き込み時に、前記識別情報記憶機能に記憶された識別情報を当該記憶媒体に書き込む識別情報書込機能（例えば、図２０に示すＣＰＵ１１０；図１５に示すステップａ４０）と、
ユーザ操作に従って、当該記憶媒体内の辞書データの閲覧表示を可能とする他の電子機器の識別情報を入力する他機識別情報入力機能（例えば、図２０に示すＣＰＵ１１０；図１５に示すステップａ６０）と、
識別情報と当該識別情報によって認証される認証対象識別情報とを対応づけて記憶し、認証対象識別情報の認証処理を実行する管理サーバに対して、前記他機識別情報入力機能により入力された識別情報を認証対象識別情報とし、前記識別情報書込機能が書き込んだ識別情報と対応づけて送信する制御を行って前記管理サーバに登録させる登録機能（例えば、図２０に示すＣＰＵ１１０；図１５に示すステップｅ７０）と、
を実現させるためのプログラムである。
【００１８】
また、請求項７に記載の発明は、請求項６に記載の電子機器において、
前記辞書データは、見出語と当該見出語の説明情報とが複数対応づけられ、所定の辞書として包括された辞書全体情報と、前記辞書全体情報の中からユーザ操作に従って選択された見出語及び当該見出語の説明情報である辞書部分情報と、前記辞書全体情報の中からユーザ操作に従って選択された見出語の情報である見出語情報との何れかの種類の辞書データであることを特徴としている。
【００１９】
また、請求項８に記載の発明は、請求項７に記載の電子機器において、
前記管理サーバは、識別情報に対応づけて更に辞書データの種類を記憶し、辞書データの種類に応じた認証を行い、
前記登録手段は、前記辞書データ書込手段が書き込んだ辞書データの種類を更に前記管理サーバに送信して登録させる種類登録手段（例えば、図２０に示すＣＰＵ１１０；図２４に示すステップｈ７０，ｈ８０）を有する、
ことを特徴としている。
【００２０】
また、請求項９に記載の発明は、
電子機器との間で通信を行い、所定の課金処理を行う管理サーバにおいて、
記憶媒体内に辞書データを書き込む辞書データ書込手段を有する電子機器の書込機器識別情報と、当該書込機器識別情報の電子機器によって書き込まれた記憶媒体内の辞書データを閲覧表示可能な電子機器の閲覧機器識別情報とを対応づけて記憶する記憶手段（例えば、図９に示す登録ユーザ管理情報７１ａ）と、
通信接続される電子機器から書込機器識別情報及び当該電子機器の識別情報を受信する受信手段（例えば、図１４に示すステップｄ３０）と、
この受信手段により受信された書込機器識別情報と対応づけて前記記憶手段に記憶されている閲覧機器識別情報に基づいて、前記受信された識別情報の認証を行う認証手段（例えば、図１４に示すステップｄ４０，ｄ５０）と、
この認証手段による認証結果に応じて異なる課金額を設定して前記課金処理を行う課金額設定手段（例えば、図１４に示すステップｄ８０，ｄ９０）と、
を備えることを特徴としている。
【００２１】
そして、請求項１６に記載の発明のプログラムは、
電子機器との間で通信を行い、所定の課金処理を行うコンピュータに、
記憶媒体内に辞書データを書き込む辞書データ書込手段を有する電子機器の書込機器識別情報と、当該書込機器識別情報の電子機器によって書き込まれた記憶媒体内の辞書データを閲覧表示可能な電子機器の閲覧機器識別情報とを対応づけて記憶する記憶機能（例えば、図９に示す登録ユーザ管理情報７１ａ）と、
通信接続される電子機器から書込機器識別情報及び当該電子機器の識別情報を受信する受信機能（例えば、図１４に示すステップｄ３０）と、
この受信機能により受信された書込機器識別情報と対応づけて前記記憶機能に記憶されている閲覧機器識別情報に基づいて、前記受信された識別情報の認証を行う認証機能（例えば、図１４に示すステップｄ４０，ｄ５０）と、
この認証機能による認証結果に応じて異なる課金額を設定して前記課金処理を行う課金額設定機能（例えば、図１４に示すステップｄ８０，ｄ９０）と、
を実現させるためのプログラムである。
【００２２】
また、請求項１０に記載の発明は、請求項９に記載の管理サーバにおいて、
前記辞書データには、見出語と当該見出語の説明情報とが複数対応づけられ、所定の辞書として包括された辞書全体情報と、前記辞書全体情報の中からユーザ操作に従って選択された見出語及び当該見出語の説明情報である辞書部分情報と、前記辞書全体情報の中からユーザ操作に従って選択された見出語の情報である見出語情報との辞書データの種類があり、
前記受信手段は、閲覧利用する辞書データの種類を受信するデータ種類受信手段（例えば、図２３に示すステップｇ３０）を有し、
前記課金額設定手段は、前記データ種類受信手段により受信された辞書データの種類に応じて異なる課金額を設定する種類別課金額設定手段（例えば、図２３に示すステップｇ１１０）を有する、
ことを特徴としている。
【発明の効果】
【００２３】
請求項１又は１１に記載の発明によれば、辞書データが書き込まれた記憶媒体が装着部に装着された際に、記憶媒体内に辞書データと対応付けて設定されている識別情報と、自機の通信用識別情報とから、辞書データの使用可否を判別することができる。そして、使用可と判別された場合に、記憶媒体に書き込まれている辞書データの内容をユーザ操作に応じて表示する制御を行うことができる。これにより、記憶媒体内に通信用識別情報が設定されている電子機器間で、記憶媒体内の辞書データを使用することができる。
【００２４】
請求項２又は１２に記載の発明によれば、辞書データが書き込まれた記憶媒体が装着部に装着された際に、記憶媒体内に辞書データと対応付けて設定されている識別情報を読み出して管理サーバに送信し、当該記憶媒体に書き込まれている辞書データの使用可否を問い合わせることができる。そして、問合せ結果が使用可である場合に、記憶媒体に書き込まれている辞書データの内容をユーザ操作に応じて表示する制御を行うことができる。これにより、管理サーバに対する問合せの結果が使用可と判別された電子機器において記憶媒体内の辞書データを使用することができる。
【００２５】
請求項３に記載の発明によれば、所定の辞書として包括された辞書全体情報の中からユーザ操作に従って選択された部分的な情報である辞書データの使用可否を、自機の通信用識別情報と、記憶媒体内に設定されている識別情報とによって判別することができる。
【００２６】
請求項４又は１３に記載の発明によれば、所定の辞書として包括された辞書全体情報の中からユーザ操作に従って選択された見出語の情報である辞書データが書き込まれた記憶媒体が装着部に装着された際に、辞書全体情報を記憶した辞書サーバとの間で通信を行い、辞書データに含まれている見出語に対応する説明情報を取得して表示する制御を行うことができる。これによれば、ユーザ操作に従って選択された見出語の情報を、電子機器間で使用することができる。
【００２７】
請求項５又は１４に記載の発明によれば、装着部に装着された記憶媒体に辞書データを書き込むとともに、ユーザ操作に従って、前記書き込んだ辞書データの閲覧表示を可能とする他の電子機器の識別情報を当該記憶媒体に書き込むことができる。これにより、記憶媒体内に、当該記憶媒体内の辞書データの閲覧表示を可能とする他の電子機器の識別情報を書き込むことができ、当該他の電子機器において、記憶媒体内の辞書データを使用することができる。
【００２８】
請求項６又は１５に記載の発明によれば、装着部に装着された記憶媒体への辞書データの書き込み時に、自機の識別情報を当該記憶媒体に書き込むことができる。そして、記憶媒体内の辞書データの閲覧表示を可能とする他の電子機器の識別情報を認証対象識別情報とし、前記記憶媒体に書き込んだ自機の識別情報と対応付けて認証対象識別情報の認証処理を実行する管理サーバに送信することができる。これにより、ユーザ操作によって指定された他の電子機器において、記憶媒体内の辞書データを使用することができる。
【００２９】
請求項７に記載の発明によれば、見出語と当該見出語の説明情報とが複数対応づけられ、所定の辞書として包括された辞書全体情報と、前記辞書全体情報の中からユーザ操作に従って選択された見出語及び当該見出語の説明情報である辞書部分情報と、前記辞書全体情報の中からユーザ操作に従って選択された見出語の情報である見出語情報との何れかの種類の辞書データを、自機の識別情報とともに記憶媒体に書き込むことができる。
【００３０】
請求項８に記載の発明によれば、辞書データの種類に応じた認証を行う管理サーバに、記憶媒体に書き込んだ辞書データの種類を更に送信して登録させることができる。
【００３１】
請求項９又は１６に記載の発明によれば、記憶媒体内に辞書データを書き込む辞書データ書込手段を有する電子機器の書込機器識別情報と、当該書込機器識別情報の電子機器によって記憶媒体に書き込まれた辞書データを閲覧表示可能な電子機器の閲覧機器識別情報とを対応づけて記憶することができる。そして、通信接続される電子機器から書込機器識別情報及び当該電子機器の識別情報を受信した際に、受信した書込機器識別情報と対応づけて記憶されている閲覧機器識別情報に基づいて、受信した識別情報の認証を行うことができる。そしてこの認証結果に応じて異なる課金額を設定して課金処理を行うことができる。
【００３２】
請求項１０に記載の発明によれば、通信接続された電子機器から閲覧利用する辞書データの種類を受信した際に、受信した辞書データの種類が、見出語と当該見出語の説明情報とが複数対応づけられ所定の辞書として包括された辞書全体情報、前記辞書全体情報の中からユーザ操作に従って選択された見出語及び当該見出語の説明情報である辞書部分情報、前記辞書全体情報の中からユーザ操作に従って選択された見出語の情報である見出語情報の辞書データの種類のうちの何れであるかに応じて、異なる課金額を設定することができる。
例えば、辞書全体情報の中からユーザ操作に従って選択された見出語及び当該見出語の説明情報である辞書部分情報を使用する際の課金額を安く設定することで、記憶媒体内の前記辞書部分情報を利用し易くすることができる。或いは、例えば辞書全体情報の中からユーザ操作に従って選択された見出語の情報である見出語情報を使用する際の課金額を、見出語と当該見出語の説明情報とが複数対応付けられ所定の辞書として包括された辞書全体情報を使用する際の課金額より安く設定することで、前記見出語情報を利用し易くすることができる。
【発明を実施するための最良の形態】
【００３３】
以下、図１〜図３０を参照して、本発明の実施形態について詳細に説明する。本実施形態は、カードスロット（装着部）を備えた電子機器である携帯型の電子辞書装置（以下、単に「電子辞書」という。）において記憶媒体の一種であるメモリカードに書き込んだ辞書データを、例えば携帯電話機といった電子機器において使用するための実施形態である。尚、メモリカードは、ＳＤメモリカード（登録商標）、メモリースティック（登録商標）、スマートメディア（登録商標）、コンパクトフラッシュ（登録商標）等、何れの規格のものでもよい。また、辞書データが書き込まれる記憶媒体はメモリカードに限定されるものではなく、例えば、ＦＤや、ＭＯ、ＣＤ−Ｒ、ＤＶＤ−Ｒといった可搬型の各種の記憶媒体であってもよい。
【００３４】
電子辞書では、例えば、国語辞典、英和辞典、和英辞典、英英辞典、百科事典等といった電子辞書データ（辞書ＤＢ）の辞書引き（閲覧表示）を行うことができる。ここで、辞書ＤＢとは、見出語と、当該見出語を説明解説等するための文字データ、静止画像データ、動画データ、音声データ等が記憶された説明情報とが対応付けられた情報を集合した辞書情報を、コンピュータを用いて検索処理することができるように体系的に構成したものであり、この辞書ＤＢは，例えば電子辞書に内蔵されているものであってもよいし、カードスロットに装着されたメモリカードに書き込まれているものであってもよい。
【００３５】
この電子辞書において、ユーザは、検索対象の辞書種別を選択して文字を入力することにより、当該入力した文字（入力文字）に適合する見出語の解説等を表示させることができる。
【００３６】
また、電子辞書は、ユーザが所望する情報を効率良く検索するための様々な機能を備えている。例えばヒストリ機能を利用すれば、過去に検索したことのあるヒストリ見出語の検索を、その語句を入力することなく再度行うことができる。また、単語帳機能を利用すれば、所望の見出語や対応する説明情報の一部又は全部を登録しておくことができる。
【００３７】
［概観］
図１は、電子辞書１０の斜視概観例を示す図である。図１に示すように、電子辞書１０は、表示パネル１１、キー群１３、内蔵電池（図示略）等を備え、金属や樹脂によってケーシングされている。
【００３８】
キー群１３を構成する各キーにはそれぞれ固有の機能が割り当てられており、ユーザは、これらのキーを押下して電子辞書１０を操作する。具体的には、各種キー群１３は、文字入力キー、辞書種別の選択キー、操作の確定指示を入力する決定キー、指定した単語へのジャンプキー、単語帳を表示する単語帳キー、ヒストリ見出語を一覧表示するヒストリキー、単語帳の登録を行う単語登録キーといった各種のキーで構成されている。
【００３９】
また、図１に示すように、電子辞書１０本体の側面には、データの入力端子を備えた通信コネクタ１５が設けられており、通信ケーブル１７により外部機器と接続される。この通信コネクタ１５には、ＵＳＢや、ＩＥＥＥ等種々の形式が適宜選択される。本実施形態では、電子辞書１０は、パーソナルコンピュータ（以下、「ＰＣ」という。）等の外部機器と接続され、当該外部機器から辞書ＤＢをダウンロードすることができるようになっている。
【００４０】
図２は、電子辞書１０とＰＣ４０との接続例を示す図である。図２において、電子辞書１０は、通信ケーブル１７を介してＰＣ４０と接続されており、所定操作に応じてＰＣ４０との通信を実行する。そして、例えば、ＰＣ４０のＣＤ−ＲＯＭドライブ４１に挿入されるＣＤ−ＲＯＭ４３に格納されている辞書ＤＢをダウンロードする。
【００４１】
或いは、電子辞書１０は、ＰＣ４０の具備する通信装置４５を介してネットワークＮに接続することにより、当該ネットワークＮに接続される外部機器と通信接続する。そして、例えば辞書サーバ６０から、当該辞書サーバ６０が公開している辞書ＤＢをダウンロードする。
【００４２】
尚、ネットワークＮとは、例えば、インターネット及びインターネットに接続するための回線やＩＳＰサーバ等のことであり、電話回線網、ＩＳＤＮ回線網、専用線、衛星通信回線、ＣＡＴＶ回線等の各種通信回線と、それらを接続するインターネットプロバイダ等を含む。
【００４３】
図１に戻り、電子辞書１０本体の側面には、さらに、メモリカード３０を着脱自在に装着するカードスロット１７０が設けられている。本実施形態では、前述のようにＰＣ４０からダウンロードされた辞書ＤＢは、このカードスロット１７０に装着されるメモリカード３０に適宜書き込まれる。
【００４４】
（第１実施形態）
先ず、第１実施形態について説明する。
【００４５】
［システム概略］
図３は、第１実施形態におけるシステム構成の概略図である。電子辞書１０ａは、ＰＣ４０から辞書ＤＢ３１ａをダウンロードする。そして、ダウンロードした辞書ＤＢ３１ａをメモリカード３０ａに書き込む際に、予め電子辞書１０ａ本体に固有に割り当てられた装置ＩＤを、電子辞書ＩＤ３３１ａとしてメモリカード３０ａ内に登録する。この電子辞書ＩＤ３３１ａによって、メモリカード３０ａ内の辞書ＤＢ３１ａの使用が、当該辞書ＤＢ３１ａをダウンロードした電子辞書１０ａに許可されることとなる。
【００４６】
第１実施形態では、さらに、電子辞書１０ａにおいて、メモリカード３０ａ内の辞書ＤＢ３１ａの使用を許可する携帯電話機２０ａの携帯ＩＤ（通信用識別情報）を登録携帯ＩＤ３３３ａとして、メモリカード３０ａ内に登録する。この登録携帯ＩＤ３３３ａによって、メモリカード３０ａ内の辞書ＤＢ３１ａの使用が、当該携帯電話機２０ａに許可されることとなる。
【００４７】
具体的には、次の通りである。すなわち、電子辞書１０ａにおいて、メモリカード３０ａ内の辞書ＤＢ３１ａの使用を許可する携帯電話機２０ａの携帯ＩＤの入力操作を受け付ける。尚、以下では、携帯ＩＤを携帯電話機２０ａの携帯電話番号として説明するが、これに限定されるものではなく、例えば製造メーカ側で予め携帯電話機１０ａに対して固有に割り当てられた識別コード等であってもよい。そして、入力された携帯電話番号を、登録携帯ＩＤ３３３ａとしてメモリカード３０ａ内に登録する。
【００４８】
一方、携帯電話機２０ａ側では、図示しないカードスロットに装着されたメモリカード３０ａ内に自機の携帯ＩＤが登録携帯ＩＤ３３３ａとして登録されている場合に、辞書ＤＢ３１ａの使用を許可する制御を行い、登録されていない場合には使用不可としてその旨をメッセージ表示する制御を行う。
【００４９】
これによれば、ユーザは、電子辞書１０ａ側で、例えば所有する携帯電話機の携帯電話番号を入力し、メモリカード内に携帯ＩＤを登録しておくことで、当該所有する携帯電話機において、メモリカード内の辞書ＤＢを使用することが可能となる。
【００５０】
［機能構成］
１．電子辞書
先ず、第１実施形態における電子辞書１０ａの機能構成について説明する。図４は、電子辞書１０ａの機能構成の一例を示すブロック図である。図４に示すように、電子辞書１０ａは、ＣＰＵ１１０と、入力装置１２０と、表示装置１３０と、伝送制御装置１４０と、ＲＡＭ１５０と、ＲＯＭ１６０ａと、カードスロット１７０とを備えて構成されている。
【００５１】
ＣＰＵ１１０は、入力される指示に応じて所定のプログラムに基づいた処理を実行し、各機能部への指示やデータの転送等を行い、電子辞書１０ａを統括的に制御する。具体的には、ＣＰＵ１１０は、入力装置１２０から入力される信号等に応じてＲＯＭ１６０ａに格納されている各種のプログラムやデータを読み出し、ＲＡＭ１５０を一時的な記憶領域にしながら演算処理を行う。そして、処理結果をＲＡＭ１５０に保存するとともに、当該処理結果を表示するための表示信号を適宜表示装置１３０に出力し、対応する表示情報を表示させる。
【００５２】
入力装置１２０は、文字キーや数字キー、各種機能キー等を備えたキーボード、或いはマウスやタブレットといったポインティングデバイス等により実現されるものであり、これらが操作された場合には、その操作に応じた操作信号をＣＰＵ１１０に出力する。この入力装置１２０におけるキー入力により、入力文字の入力、辞書種別の選択、検索実行指示、単語帳の表示指示、単語帳の登録指示、ヒストリの表示指示等の入力手段が実現される。尚、この入力装置１２０は、図１に示すキー群１３に相当するものである。
【００５３】
表示装置１３０は、ＣＰＵ１１０から入力される表示信号に基づいて各種画面を表示するための装置であり、例えば、ＬＣＤ（Liquid Crystal Display）やＥＬＤ（Electronic Luminescent Display）等により実現される。尚、この表示装置１３０は、図１に示す表示パネル１１に相当する。
【００５４】
伝送制御装置１４０は、通信ケーブルを介して接続される外部機器と所定の情報を送受するための装置であり、外部機器との通信を行うための制御を行う。
【００５５】
ＲＡＭ１５０は、ＣＰＵ１１０の作業用メモリとして用いられる半導体メモリであり、ＣＰＵ１１０が実行するプログラムや、これらプログラムの実行に係るデータ等を一時的に保持するメモリ領域を備える。
【００５６】
ＲＯＭ１６０ａには、各種初期設定、ハードウェアの構成、又は必要なプログラムのロード等を行うための初期プログラムが格納される。ＣＰＵ１１０は、電子辞書１０ａの電源投入時においてこの初期プログラムを実行することにより、電子辞書１０ａの動作環境を設定する。
【００５７】
また、ＲＯＭ１６０ａには、電子辞書１０ａの動作に係るプログラムや、電子辞書１０ａの備える種々の機能を実現するためのプログラム、これらプログラムの実行に係るデータ等が格納される。特に、第１実施形態を実現するため、電子辞書１０ａにおけるメモリカード３０ａ内の辞書ＤＢ３１ａの使用可否の設定や、辞書ＤＢ３１ａの辞書引きに関する機能を実現させるための第１電子辞書側辞書使用処理プログラム１６１ａと、装置の個体識別が可能な装置ＩＤ１６３ａとが格納される。
【００５８】
カードスロット１７０は、メモリカード３０ａを着脱自在に装着し、ＣＰＵ１１０から入力される指示に応じてメモリカード３０ａ内の辞書ＤＢ３１ａを読み出す。また、カードスロット１７０は、伝送制御装置１４０を介してＰＣ４０から伝送される辞書ＤＢを、適宜メモリカード３０ａに書き込む。このカードスロット１７０の機能は、メモリカード３０ａのメディアの種類に応じた読み書き装置及びそのドライバ回路等によって実現される。
【００５９】
図４に示すメモリカード３０ａには、辞書ＤＢ３１ａと、ＩＤ情報３３ａとが格納されている。
【００６０】
辞書ＤＢ３１ａは、例えば、見出語と、当該見出語の意味や、見出語を用いた用例、成句、発音、解説等の関連情報等を含む説明情報とが対応付けられて蓄積されたものであり、この辞書ＤＢ３１ａは何れの辞書種別のものであってもよく、また複数であっても構わない。
【００６１】
ＩＤ情報３３ａは、電子辞書ＩＤ３３１ａと、登録携帯ＩＤ３３３ａとを有する。ＣＰＵ１１０は、ＰＣ４０から辞書ＤＢ３１ａをダウンロードしてメモリカード３０ａに書き込む際に、ＲＯＭ１６０ａに格納されている装置ＩＤ１６３ａを、電子辞書ＩＤ３３１ａとしてメモリカード３０ａ内に登録する処理を行う。一方、ＣＰＵ１１０は、携帯電話番号の入力操作に応じて、メモリカード３０ａ内に登録携帯ＩＤ３３３ａとして登録する処理を行う。
【００６２】
２．携帯電話機
次に、第１実施形態における携帯電話機２０ａの機能構成について説明する。図５は、携帯電話機２０ａの機能構成の一例を示すブロック図である。図５に示すように、携帯電話機２０ａは、ＣＰＵ２１０と、送話装置２２０と、受話装置２３０と、入力装置２４０と、表示装置２５０と、通信装置２６０と、ＲＡＭ２７０ａと、ＲＯＭ２８０ａと、カードスロット２９０とを備えて構成されている。
【００６３】
ＣＰＵ２１０は、携帯電話機２０ａを統括的に制御する。具体的には、ＣＰＵ２１０は、入力装置２４０から入力される信号等に応じてＲＯＭ２８０ａに格納されている各種のプログラムやデータを読み出し、ＲＡＭ２７０ａを一時的な記憶領域にしながら演算処理を行う。そして、処理結果をＲＡＭ２７０ａに保存するとともに、当該処理結果を表示するための表示信号を適宜表示装置２５０に出力し、対応する表示情報を表示させる。
【００６４】
送話装置２２０及び受話装置２３０は、電話機としての送話音声を音声入力する手段、及び受話部受話音声を音声出力する手段である。また受話装置２３０は、着信音などの出力も兼ねる。
【００６５】
入力装置２４０は、ボタンスイッチ、レバー、ジョグダイヤル、タッチパネルなどによって実現されるものであり、これらが操作された場合には、その操作に応じた操作信号をＣＰＵ２１０に出力する。
【００６６】
表示装置２５０は、ＣＰＵ２１０から入力される表示信号に基づいて各種画面を表示するための装置であり、例えば、ＬＣＤやＥＬＤ等により実現される。
【００６７】
通信装置２６０は、所定の通信回線を介して外部機器とのデータ通信を行うための装置であり、例えば携帯電話の通信サービス事業者が設置した無線基地局との間で無線信号の送受信を行うアンテナ、ＲＦ変換器等によって実現される。
【００６８】
ＲＡＭ２７０ａは、ＣＰＵ２１０の作業用メモリとして用いられる半導体メモリであり、ＣＰＵ２１０が実行するプログラムや、これらプログラムの実行に係るデータ等を一時的に保持するメモリ領域を備える。
【００６９】
ＲＯＭ２８０ａには、各種初期設定、ハードウェアの構成、又は必要なプログラムのロード等を行うための初期プログラムや、ＣＰＵ２１０に携帯電話機としての基本的な諸機能を実現させるためのシステムプログラム等が格納される。
【００７０】
また、ＲＯＭ２８０ａには、第１実施形態を実現するため、携帯電話機２０ａにおけるメモリカード３０ａ内の辞書ＤＢ３１ａの使用可否の設定や、辞書ＤＢ３１ａの辞書引きに関する機能を実現させるための第１携帯側辞書使用処理プログラム２８１ａと、装置の個体識別が可能な携帯ＩＤ２８３ａとが格納される。この携帯ＩＤ２８３ａには、当該携帯電話機２０ａの携帯電話番号が設定される。
【００７１】
カードスロット２９０は、メモリカード３０ａを着脱自在に装着し、ＣＰＵ２１０から入力される指示に応じてメモリカード３０ａ内の辞書ＤＢ３１ａを読み出す。このカードスロット２９０の機能は、メモリカード３０ａのメディアの種類に応じた読み書き装置及びそのドライバ回路等によって実現される。
【００７２】
また、図５に示すメモリカード３０ａは、図４で説明したメモリカード３０ａに相当するものであり、電子辞書１０ａにおいて書き込まれた辞書ＤＢ３１ａと、電子辞書１０ａにおいて登録された電子辞書ＩＤ３３１ａ及び登録携帯ＩＤ３３３ａとが格納されている。
【００７３】
［処理の流れ］
次に、図６〜図８を参照して、電子辞書１０ａ及び携帯電話機２０ａにおける処理の流れについて説明する。
先ず、図６に示すフローチャートを参照して、第１実施形態における電子辞書１０ａ側の処理の流れについて説明する。
【００７４】
図６に示すように、電子辞書１０ａのＣＰＵ１１０は、ユーザによる所定のメニュー選択操作によって通信モードが指定された場合には（ステップａ１０：ＹＥＳ）、通信モードに移行し、ＰＣ４０にダウンロード要求を通知して（ステップａ２０）、辞書ＤＢのダウンロードが完了するまで待機状態となる。一方、ＰＣ４０側では、電子辞書１０ａからのダウンロード要求に応答して、例えばＣＤ−ＲＯＭドライブ４１に挿入されたＣＤ−ＲＯＭ１６０ａから辞書ＤＢを読み出し、電子辞書１０ａに伝送する処理が実行される。
【００７５】
そして、電子辞書１０ａのＣＰＵ１１０は、伝送制御装置１４０を介してＰＣ４０からダウンロードされた辞書ＤＢをメモリカード３０ａに書き込む（ステップａ３０）。続いて、ＣＰＵ１１０は、ＲＯＭ１６０ａから装置ＩＤ１６３ａを読み出し、電子辞書ＩＤ３３１ａとしてメモリカード３０ａ内に登録する（ステップａ４０）。
【００７６】
ユーザ操作によって携帯ＩＤ登録モードが指定された場合には（ステップａ５０：ＹＥＳ）、ＣＰＵ１１０は、携帯ＩＤ登録モードに移行し、携帯電話番号の入力操作を受け付ける（ステップａ６０）。そして、ＣＰＵ１１０は、入力された携帯電話番号を登録携帯ＩＤ３３３ａとして、メモリカード３０ａ内に登録する（ステップａ７０）。
【００７７】
ユーザ操作によって辞書引きモードが指定された場合には（ステップａ８０：ＹＥＳ）、ＣＰＵ１１０は、辞書引きモードに移行して第１電子辞書側辞書使用処理を実行する（ステップａ９０）。図７は、第１電子辞書側辞書使用処理の流れを説明するためのフローチャートである。尚、ここで説明する処理は、辞書引きモードに移行した際、ＣＰＵ１１０が第１電子辞書側辞書使用処理プログラム１６１ａを読み出して実行することにより実現される。
【００７８】
ＣＰＵ１１０は、先ず、カードスロット１７０にメモリカード３０ａが装着されているか否かを検知する。そして、ＣＰＵ１１０は、メモリカード３０ａが装着されている場合には（ステップｂ１０：ＹＥＳ）、続いてメモリカード３０ａ内に辞書ＤＢが書き込まれているか否かを検知する。そして、ＣＰＵ１１０は、書き込まれていると検知された場合には（ステップｂ２０：ＹＥＳ）、続いて電子辞書ＩＤ３３１ａを読み出す（ステップｂ３０）。そして、ＣＰＵ１１０は、読み出した電子辞書ＩＤ３３１ａとＲＯＭ１６０ａに保持されている装置ＩＤ１６３ａとが一致している場合には（ステップｂ４０：ＹＥＳ）、当該電子辞書１０ａによるメモリカード３０ａ内の辞書ＤＢ３１ａの使用を許可し、辞書引き処理を実行する（ステップｂ５０）。
【００７９】
具体的には、例えば、ＣＰＵ１１０は、ユーザ操作に従ってメモリカード３０ａ内の辞書ＤＢ３１ａを起動し、辞書ＤＢ３１ａの中から入力文字に適合する入力見出語を検索して、対応する説明情報を読み出して表示する制御を行う。
【００８０】
一方、ＣＰＵ１１０は、ステップｂ４０において、読み出した電子辞書ＩＤ３３１ａとＲＯＭ１６０ａに保持されている装置ＩＤ１６３ａとが一致しないと判断した場合には、使用不可メッセージを表示して（ステップｂ６０）、本処理を終了する。
【００８１】
次に、図８に示すフローチャートを参照して、携帯電話機２０ａにおける第１携帯側辞書使用処理の流れについて説明する。尚、ここで説明する処理は、ＣＰＵ２１０が第１携帯側辞書使用処理プログラム２８１ａを読み出して実行することにより実現される。
【００８２】
図８に示すように、携帯電話機２０ａのＣＰＵ２１０は、先ず、カードスロット２９０にメモリカード３０ａが装着されているか否かを検知する。そして、ＣＰＵ２１０は、メモリカード３０ａが装着されている場合には（ステップｃ１０：ＹＥＳ）、続いてメモリカード３０ａ内に辞書ＤＢが書き込まれているか否かを検知する。そして、ＣＰＵ２１０は、書き込まれていると検知された場合には（ステップｃ２０：ＹＥＳ）、続いて登録携帯ＩＤ３３３ａを読み出す（ステップｃ３０）。そして、ＣＰＵ２１０は、読み出した登録携帯ＩＤ３３３ａとＲＯＭ２８０ａに保持されている携帯ＩＤ２８３ａとが一致した場合には（ステップｃ４０：ＹＥＳ）、辞書引き処理を実行する（ステップｃ５０）。
【００８３】
具体的には、ＣＰＵ２１０は、電子辞書１０ａ側で実行される、図７に示すステップｂ５０で説明した辞書引き処理と同様に、例えば、ユーザ操作に従ってメモリカード３０ａ内の辞書ＤＢ３１ａの中から入力文字に適合する入力見出語を検索し、対応する説明情報を読み出して表示する制御を行う。
【００８４】
一方、ＣＰＵ２１０は、ステップｃ４０において、読み出した登録携帯ＩＤ３３３ａとＲＯＭ２８０ａに保持されている携帯ＩＤ２８３ａとが一致しないと判断した場合には、使用不可メッセージを表示して（ステップｃ６０）、本処理を終了する。
【００８５】
以上説明したように、第１実施形態によれば、電子辞書１０ａにおいて、カードスロット１７０に装着されたメモリカード３０ａに辞書ＤＢ３１ａを書き込むとともに、ユーザ操作に従って、書き込んだ辞書ＤＢ３１ａの使用を許可する携帯電話機２０ａの携帯ＩＤ２８３ａを、登録携帯ＩＤ３３３ａとして当該メモリカード３０ａ内に登録することができる。
【００８６】
そして、携帯電話機２０ａでは、辞書ＤＢ３１ａが書き込まれているメモリカード３０ａがカードスロット２９０に装着された際に、メモリカード３０ａ内に登録される登録携帯ＩＤ３３３ａと自機の携帯ＩＤ２８３ａとから、メモリカード３０ａ内の辞書ＤＢ３１ａの使用可否を判別することができる。そして、使用可と判別された場合に、当該携帯電話機２０ａにおいて、メモリカード３０ａに書き込まれている辞書ＤＢ３１ａの辞書引き処理が可能となる。
【００８７】
これにより、メモリカード３０ａ内に登録した登録携帯ＩＤ３３３ａの携帯電話機２０ａと、電子辞書１０ａにおいてメモリカード３０ａに書き込んだ辞書ＤＢ３１ａを共有することができる。
【００８８】
（第２実施形態）
次に、第２実施形態について説明する。尚、以下では、第１実施形態で説明した電子辞書１０ａと同様の構成要素には、同一の符号を付して説明は省略する。
【００８９】
［システム概略］
図９は、第２実施形態におけるシステム構成の概略図である。図９に示すように、第２実施形態において、電子辞書１０ｂは、ＰＣ４０が具備する通信装置４５を介してネットワークＮと接続されて、管理サーバ７０ｂと接続される。また、携帯電話機２０ｂは、内蔵の通信装置２６０（図１３参照）の機能によりネットワークＮを介して管理サーバ７０ｂに接続される。
【００９０】
管理サーバ７０ｂは、登録ユーザ管理情報７１ｂを備える。図１０は、第２実施形態における登録ユーザ管理情報７１ｂのデータ構成例を示す図である。図１０に示すように、登録ユーザ管理情報７１ｂは、電子辞書ＩＤと、登録携帯ＩＤとが対応付けられたデータテーブルである。管理サーバ７０ｂは、この登録ユーザ管理情報７１ｂにおいて、メモリカード内に辞書ＤＢを書き込む手段を有する電子辞書の電子辞書ＩＤ（書込機器ＩＤ）と対応付けて、当該電子辞書によってメモリカードに書き込まれた辞書ＤＢを閲覧表示可能な携帯電話機の登録携帯ＩＤ（閲覧機器ＩＤ）を管理する。
【００９１】
図１１は、第２実施形態におけるデータの流れを説明するための図である。電子辞書１０ｂは、１）ＰＣ４０から辞書ＤＢ３１ｂをダウンロードして書き込む。この際、メモリカード３０ｂ内に、予め電子辞書１０ｂ本体に固有に割り当てられた装置ＩＤである電子辞書ＩＤ３３ｂが登録される。この電子辞書ＩＤ３３ｂによって、メモリカード３０ｂ内の辞書ＤＢ３１ｂの使用が当該辞書ＤＢ３１ｂをダウンロードした電子辞書１０ｂに許可されることとなる。
【００９２】
また、電子辞書１０ｂは、ユーザ操作に従って、２）ＰＣ４０を介し、メモリカード３０ｂ内の辞書ＤＢ３１ｂの使用を許可する携帯電話機２０ｂの携帯電話番号を、認証対象ＩＤとしての登録携帯ＩＤとして、電子辞書ＩＤ３３ｂとともに管理サーバ７０ｂに送信する。
【００９３】
具体的には、次の通りである。すなわち、電子辞書１０ｂにおいて、メモリカード３０ｂ内の辞書ＤＢ３１ｂの使用を許可する携帯電話機２０ｂの携帯電話番号の入力操作を受け付ける。そして、入力された携帯電話番号を登録携帯ＩＤとし、電子辞書ＩＤとともに管理サーバ７０ｂに送信する。
【００９４】
これに応答して、管理サーバ７０ｂでは、３）受信した電子辞書ＩＤと登録携帯ＩＤとを対応付けて、登録ユーザ管理情報７１ｂに登録する。
【００９５】
一方、携帯電話機２０ｂでは、図示しないカードスロットにメモリカード３０ｂが装着された場合には、４）電子辞書ＩＤ３３ｂを読み出し、自機の携帯ＩＤとともに管理サーバ７０ｂに送信して、辞書ＤＢ３１ｂの使用可否を問い合わせる。
【００９６】
これに応答して、管理サーバ７０ｂでは、５）携帯ＩＤの認証処理を実行し、６）認証結果を当該携帯電話機２０ｂに送信する。具体的には、次の通りである。すなわち、管理サーバ７０ｂは、登録ユーザ管理情報７１ｂから受信した電子辞書ＩＤと対応付けられた登録携帯ＩＤを読み出し、受信した携帯ＩＤと一致するか否かを判別することで当該携帯ＩＤの認証を行う。そして、管理サーバ７０ｂは、認証結果を携帯電話機２０ｂに送信する。
【００９７】
尚、携帯電話機２０ｂ側では、管理サーバ７０ｂにおける認証の結果、当該携帯電話機２０ｂの携帯ＩＤが認証された場合にはメモリカード３０ｂ内の辞書ＤＢ３１ｂの使用を許可する制御を行う。また、第２実施形態では、登録ユーザ以外のユーザであっても、例えばクレジット決済やネットワーク接続サービス業者による代行決済等を利用して利用金額を支払うことにより、メモリカード３０ｂ内の辞書ＤＢを使用することができるようになっている。
【００９８】
これによれば、ユーザは、電子辞書１０ｂ側で携帯電話機の電話番号を入力し、携帯ＩＤとして管理サーバ７０ｂに登録させておくことで、当該携帯電話機において、メモリカード内の辞書ＤＢを使用することが可能となる。
【００９９】
［機能構成］
１．電子辞書
図１２は、第２実施形態における電子辞書１０ｂの機能構成の一例を示すブロック図である。図１２に示すように、電子辞書１０ｂは、ＣＰＵ１１０と、入力装置１２０と、表示装置１３０と、伝送制御装置１４０と、ＲＡＭ１５０と、ＲＯＭ１６０ａと、カードスロット１７０とを備えて構成されている。
【０１００】
また、図１２に示すように、第２実施形態では、メモリカード３０ｂには、辞書ＤＢ３１ｂと、電子辞書ＩＤ３３ｂとが格納される。ＣＰＵ１１０は、ＰＣ４０から辞書ＤＢ３１ｂをダウンロードしてメモリカード３０ｂに書き込む際に、ＲＯＭ１６０ａに格納されている装置ＩＤ１６３ａを電子辞書ＩＤ３３ｂとして、メモリカード３０ｂ内に登録する処理を行う。
【０１０１】
２．携帯電話機
図１３は、第２実施形態における携帯電話機２０ｂの機能構成の一例を示すブロック図である。図１３に示すように、携帯電話機２０ｂは、ＣＰＵ２１０と、送話装置２２０と、受話装置２３０と、入力装置２４０と、表示装置２５０と、通信装置２６０と、ＲＡＭ２７０ａと、ＲＯＭ２８０ｂと、カードスロット２９０とを備えて構成されている。
【０１０２】
ＲＯＭ２８０ｂには、第２実施形態を実現するため、第２携帯側辞書使用処理プログラム２８１ｂと、装置の個体識別が可能な携帯ＩＤ２８３ａとが格納される。
【０１０３】
［処理の流れ］
次に、図１４〜図１６を参照して、電子辞書１０ｂ及び携帯電話機２０ｂにおける処理の流れについて説明する。尚、以下では、第１実施形態で図６に示して説明した電子辞書側の処理、図７に示して説明した第１電子辞書側辞書使用処理、及び図８に示して説明した第１携帯側辞書使用処理と同様の処理工程には、同一の符号を付して適宜説明は省略する。
【０１０４】
先ず、図１４に示すフローチャートを参照して、管理サーバ７０ｂ側の処理の流れについて説明する。図１４に示すように、管理サーバ７０ｂでは、電子辞書１０ｂから、電子辞書ＩＤと登録携帯ＩＤとが対応付けられたユーザ登録要求を受信した場合に（ステップｄ１０：ＹＥＳ）、受信した電子辞書ＩＤと登録携帯ＩＤとを対応付けて登録ユーザ管理情報７１ｂに登録する（ステップｄ２０）。
【０１０５】
また、管理サーバ７０ｂでは、携帯電話機２０ｂから、電子辞書ＩＤと携帯ＩＤとが対応付けられた認証要求を受信した場合に（ステップｄ３０：ＹＥＳ）、登録ユーザ管理情報７１ｂから受信した電子辞書ＩＤに対応する登録携帯ＩＤを読み出す（ステップｄ４０）。そして、読み出した登録携帯ＩＤが受信した携帯ＩＤと一致した場合には（ステップｄ５０：ＹＥＳ）、使用許可通知を当該携帯電話機２０ｂに送信する（ステップｄ６０）。
【０１０６】
一方、読み出した登録携帯ＩＤが受信した携帯ＩＤと一致しない場合には（ステップｄ５０：ＮＯ）、使用不可通知を当該携帯電話機２０ｂに送信する（ステップｄ７０）。
【０１０７】
そして、ステップｄ７０の使用不可通知に応答して当該携帯電話機２０ｂから辞書ＤＢ購入要求が通知された場合には（ステップｄ８０）、辞書ＤＢの利用金額を課金額として徴収するための当該携帯電話機２０ｂのユーザに対する課金処理を実行する（ステップｄ９０）。
【０１０８】
例えば、管理サーバ７０ｂは、当該携帯電話機２０ｂのユーザが所持するクレジットカード番号や、クレジット決済額情報等を対応付けたユーザ情報を管理し、月毎に各ユーザのクレジット決済の総額を算出する課金サーバと接続されており、この課金サーバに通知することにより、当該ユーザに対して利用金額を課金する。尚、管理サーバ７０ｂがこの課金サーバの機能を有することとしても勿論構わない。
【０１０９】
続いて、ステップｄ３０において認証要求とともに受信した携帯ＩＤを登録携帯ＩＤとし、受信した電子辞書ＩＤと対応付けて登録ユーザ管理情報７１ｂに登録する（ステップｄ１００）。そして、ステップｄ６０に移行して使用許可通知を当該携帯電話機２０ｂに送信する。
【０１１０】
次に、図１５に示すフローチャートを参照して、電子辞書１０ｂ側の処理の流れについて説明する。
【０１１１】
図１５に示すように、電子辞書１０ｂのＣＰＵ１１０は、ユーザ操作によって携帯ＩＤ登録モードが指定された場合には（ステップａ１０：ＮＯ→ステップａ５０：ＹＥＳ）、携帯ＩＤ登録モードに移行し、携帯電話番号の入力操作を受け付ける（ステップａ６０）。そして、ＣＰＵ１１０は、入力された携帯電話番号を登録携帯ＩＤとし、当該登録携帯ＩＤ及び装置ＩＤ１６３ａである電子辞書ＩＤとともに、ユーザ登録要求を管理サーバ７０ｂに送信する（ステップｅ７０）。
【０１１２】
次に、図１６に示すフローチャートを参照して、携帯電話機２０ｂにおける第２携帯側辞書使用処理の流れについて説明する。尚、ここで説明する処理は、ＣＰＵ２１０が第２携帯側辞書使用処理プログラム２８１ｂを読み出して実行することにより実現される。
【０１１３】
図１６に示すように、携帯電話機２０ｂのＣＰＵ２１０は、先ず、カードスロット２９０にメモリカード３０ｂが装着されているか否かを検知する。そして、ＣＰＵ２１０は、メモリカード３０ｂが装着されている場合には（ステップｃ１０：ＹＥＳ）、続いてメモリカード３０ｂ内に辞書ＤＢが書き込まれているか否かを検知する。そして、ＣＰＵ２１０は、書き込まれていると検知された場合には（ステップｃ２０：ＹＥＳ）、続いて電子辞書ＩＤ３３ｂを読み出す（ステップｃ３０）。
【０１１４】
続いて、ＣＰＵ２１０は、読み出した電子辞書ＩＤ３３ｂ及び自機の携帯ＩＤ２８３ａとともに、認証要求を管理サーバ７０ｂに送信して辞書ＤＢ３１ｂの使用可否を問い合わせる（ステップｆ４０）。そして、ＣＰＵ２１０は、管理サーバ７０ｂから使用許可通知を受信した場合には（ステップｆ５０：ＹＥＳ）、当該携帯電話機２０ｂによるメモリカード３０ｂ内の辞書ＤＢ３１ｂの使用を許可し、辞書引き処理を実行する（ステップｃ５０）。
【０１１５】
一方、ＣＰＵ２１０は、管理サーバ７０ｂから使用不可通知を受信した場合には（ステップｆ５０：ＮＯ）、続いて、メモリカード３０ｂ内の辞書ＤＢ３１ｂを購入するか否かの選択を促す購入確認のメッセージを表示装置２５０に表示する制御を行う。そして、ＣＰＵ２１０は、購入指示が入力された場合には（ステップｆ７０：ＹＥＳ）、管理サーバ７０ｂに辞書ＤＢ購入要求を通知し（ステップｆ８０）、ステップｆ５０に移行して使用許可通知を受信するまで待機状態となる。
【０１１６】
一方、購入指示が為されなかった場合には（ステップｆ７０：ＮＯ）、使用不可メッセージを表示して（ステップｆ９０）、本処理を終了する。
【０１１７】
以上説明したように、第２実施形態によれば、電子辞書１０ｂにおいて、カードスロット１７０に装着されたメモリカード３０ｂに辞書ＤＢ３１ｂを書き込むとともに、メモリカード３０ｂ内の辞書ＤＢ３１ｂの使用を許可する携帯電話機２０ｂの携帯ＩＤ２８３ａを登録携帯ＩＤとして、携帯ＩＤの認証処理を実行する管理サーバ７０ｂに送信することができる。
【０１１８】
そして、携帯電話機２０ｂでは、辞書ＤＢが書き込まれているメモリカード３０ｂがカードスロット２９０に装着された際に、メモリカード３０ｂ内に登録される電子辞書ＩＤ３３ｂを、自機の携帯ＩＤ２８３ａとともに管理サーバに送信して辞書データの使用可否を問い合わせることができる。この結果、管理サーバ７０ｂから使用許可通知を受信した場合に、当該携帯電話機２０ｂにおいて、メモリカード３０ｂに書き込まれている辞書ＤＢ３１ｂの辞書引き処理が可能となる。一方、管理サーバ７０ｂから使用不可通知を受信した場合には、ユーザ操作に従って、メモリカード３０ｂ内の辞書ＤＢ３１ｂを購入することができる。
【０１１９】
また、管理サーバ７０ｂにおいて、メモリカード３０ｂ内に辞書ＤＢ３１ｂを書き込む手段を有する電子辞書１０ｂの電子辞書ＩＤと対応付けて、当該電子辞書１０ｂによってメモリカード３０ｂに書き込まれた辞書ＤＢ３１ｂを閲覧表示可能な携帯電話機の登録携帯ＩＤを管理することができる。そして、携帯電話機２０ｂから認証要求を受信した際に、登録ユーザ管理情報７１ｂから受信した電子辞書ＩＤと対応付けられた登録携帯ＩＤを読み出し、受信した携帯ＩＤと一致するか否かを判別することで辞書ＤＢの使用可否を判別することができる。
【０１２０】
また、携帯電話機２０ｂの携帯ＩＤ２８３ａが認証されなかった場合には、当該携帯電話機２０ｂからの辞書ＤＢ購入要求に応じて、当該辞書ＤＢ３１ｂの利用金額を課金額として徴収するための当該携帯電話機２０ｂのユーザに対する課金処理を実行することができる。これにより、携帯ＩＤの認証結果に応じた課金処理を行うことが可能となる。
【０１２１】
したがって、予めメモリカード３０ｂ内の辞書ＤＢ３１ｂの使用を許可する携帯電話機２０ｂの携帯ＩＤを管理サーバ７０ｂに登録しておくことにより、電子辞書１０ｂにおいてメモリカード３０ｂに書き込んだ辞書ＤＢ３１ｂを、電子辞書１０ｂと当該携帯電話機２０ｂとで共有することができる。
【０１２２】
（第３実施形態）
次に、第３実施形態について説明する。尚、以下では、第１実施形態又は第２実施形態で説明した電子辞書１０ｃと同様の構成要素には、同一の符号を付して説明は省略する。
【０１２３】
［システム概略］
図１７は、第３実施形態におけるシステム構成の概略図である。図１７に示すように、第３実施形態において、電子辞書１０ｃは、ＰＣ４０が具備する通信装置４５を介してネットワークＮと接続されて、管理サーバ７０ｃと接続される。また、携帯電話機２０ｃは、内蔵の通信装置２６０（図２２参照）によりネットワークＮを介して管理サーバ７０ｃに接続される。
【０１２４】
管理サーバ７０ｃは、登録ユーザ管理情報７１ｃを備える。図１８は、第３実施形態における登録ユーザ管理情報７１ｃのデータ構成例を示す図である。図１８に示すように、登録ユーザ管理情報７１ｃは、電子辞書ＩＤと、登録携帯ＩＤと、当該登録携帯ＩＤの携帯電話機で使用可能な辞書データ種別（以下、「認証対象辞書データ種別」という。）とが対応付けられたデータテーブルである。詳細は後述するが、第３実施形態では、電子辞書１０ｃと携帯電話機２０ｃとで共有されるメモリカード３０ｃ内に、辞書ＤＢ、単語帳、及びヒストリ一覧の３種類の辞書データが格納され、携帯電話機２０ｃ側で使用可能なデータを、辞書データ種別単位で指定することが可能である。
【０１２５】
管理サーバ７０ｃは、前述の登録ユーザ管理情報７１ｃにおいて、メモリカード３０ｃ内に辞書ＤＢを書き込む手段を有する電子辞書の電子辞書ＩＤ（書込機器ＩＤ）と対応付けて、当該電子辞書ＩＤによって書き込まれたメモリカード３０ｃ内の辞書ＤＢを閲覧表示可能な携帯電話機の登録携帯ＩＤ（閲覧機器ＩＤ）と、当該登録携帯ＩＤの携帯電話機の認証対象辞書データ種別とを管理する。
【０１２６】
さらに、携帯電話機２０ｃは、ネットワークＮを介して辞書サーバ６０ｃに通信接続することにより、辞書サーバ６０ｃが公開している辞書全体情報としてのネット辞書ＤＢを利用することも可能である。尚この際、当該携帯電話機２０ｃのユーザから、ネット辞書ＤＢの利用金額を徴収することとしてもよい。
【０１２７】
図１９は、第３実施形態におけるデータの流れを説明するための図である。電子辞書１０ｃは、第２実施形態と同様に、１）ＰＣ４０から辞書ＤＢ３１ｃをダウンロードして書き込む。そして、ダウンロードした辞書ＤＢ３１ｃをメモリカード３０ｃに書き込む際に、電子辞書１０ｃの装置ＩＤである電子辞書ＩＤ３７ｃを、メモリカード３０ｃ内に登録する。加えて、第３実施形態では、辞書ＤＢ３１ｃの使用中に登録される単語帳３３ｃ及びヒストリ一覧３５ｃが、メモリカード３０ｃ内に格納されるようになっている。
【０１２８】
また、電子辞書１０ｃは、ユーザ操作に従って、２）ＰＣ４０を介し、メモリカード３０ｃ内の辞書ＤＢ３１ｃの使用を許可する携帯電話機２０ｃの携帯電話番号を登録携帯ＩＤとして、当該携帯電話機２０ｃでの使用を許可する認証対象辞書データ種別、及び電子辞書ＩＤ３７ｃとともに管理サーバ７０ｃに送信する。
【０１２９】
これに応答して、管理サーバ７０ｃでは、３）受信した電子辞書ＩＤ、登録携帯ＩＤ、及び認証対象辞書データ種別を対応付けて、登録ユーザ管理情報７１ｃに登録する。
【０１３０】
一方、携帯電話機２０ｃでは、図示しないカードスロットにメモリカード３０ｃが装着された際に、４）電子辞書ＩＤ３７ｃを読み出して、自機の携帯ＩＤ及びユーザ操作によって選択された使用辞書データ種別とともに管理サーバ７０ｃに送信する。
【０１３１】
これに応答して、管理サーバ７０ｃでは、５）携帯ＩＤの認証処理を実行する。具体的には、次の通りである。すなわち、管理サーバ７０ｃは、登録ユーザ管理情報７１ｃから受信した電子辞書ＩＤと対応付けられた登録携帯ＩＤを読み出し、受信した携帯ＩＤと一致するか否かを判別する。さらに、対応する認証対象辞書データ種別を読み出し、受信した使用辞書データ種別を含むか否かを判別する。
【０１３２】
そして、管理サーバ７０ｃは、６）認証結果を当該携帯電話機２０ｃに送信する。
【０１３３】
尚、携帯電話機２０ｃ側では、管理サーバ７０ｃにおける認証の結果、当該携帯電話機２０ｃの携帯ＩＤが認証されて使用辞書データ種別の使用が許可された場合に、メモリカード３０ｃ内の該当する辞書データの使用を許可する制御を行う。
【０１３４】
また、第３実施形態では、辞書データの種別に応じて利用金額が設定されており、登録ユーザ以外のユーザであっても、その利用金額を支払うことにより、メモリカード３０ｃ内の辞書データを使用することができるようになっている。
【０１３５】
これによれば、ユーザは、電子辞書１０ｃ側で例えば携帯電話機の電話番号である携帯ＩＤ、及び認証対象辞書データ種別を指定して管理サーバ７０ｃに登録させておくことで、当該所有する携帯電話機において、メモリカード内の指定した種別の辞書データを使用することが可能となる。
【０１３６】
［機能構成］
１．電子辞書
図２０は、第３実施形態における電子辞書１０ｃの機能構成の一例を示すブロック図である。図２０に示すように、電子辞書１０ｃは、ＣＰＵ１１０と、入力装置１２０と、表示装置１３０と、伝送制御装置１４０と、ＲＡＭ１５０と、ＲＯＭ１６０と、カードスロット１７０とを備えて構成されている。
【０１３７】
ＲＯＭ１６０ｃには、第３実施形態を実現するため、特に、メモリカード３０ｃ内の辞書ＤＢ３１ｃの使用可否の設定、及び辞書ＤＢ３１ｃの辞書引きに関する機能を実現させるための第３電子辞書側辞書使用処理プログラム１６１ｃと、装置の個体識別が可能な装置ＩＤ１６７ｃとが格納される。また、第３電子辞書側辞書使用処理プログラム１６１ｃは、単語帳機能を実現するための単語帳処理プログラム１６３ｃと、ヒストリ機能を実現するためのヒストリ処理プログラム１６５ｃとを備える。
【０１３８】
単語帳処理プログラム１６３ｃは、単語帳処理処理をＣＰＵ１１０に実行させるためのプログラムである。具体的には、ＣＰＵ１１０は、ユーザによる単語帳の登録指示に従って、見出語と、対応する説明情報中の一部（以下、「説明部分情報」という。）とを対応付けて単語帳３３ｃに登録する。また、ＣＰＵ１１０は、単語帳の表示操作に応じて、単語帳３３ｃに登録されている見出語を読み出して一覧表示する制御を行う。そして、ＣＰＵ１１０は、ユーザ操作によって選択された見出語に対応する説明部分情報を単語帳３３ｃから読み出して表示する制御を行う。
【０１３９】
ヒストリ処理プログラム１６５ｃは、ヒストリ処理処理をＣＰＵ１１０に実行させるためのプログラムである。具体的には、ＣＰＵ１１０は、辞書ＤＢ３１ｃから説明情報を読み出して表示制御した際に、対応する見出語をヒストリ見出語として、ヒストリ一覧３５ｃに登録する。また、ＣＰＵ１１０は、ヒストリの表示操作に応じて、ヒストリ一覧３５ｃを参照してヒストリ見出語を一覧表示する制御を行う。そして、ＣＰＵ１１０は、一覧から一のヒストリ見出語が選択された場合には、当該ヒストリ見出語に対応する説明情報を辞書ＤＢ３１ｃから読み出して表示する制御を行う。
【０１４０】
また、図２０に示すように、第３実施形態では、メモリカード３０ｃには、ＰＣ４０からダウンロードされた辞書ＤＢ３１ｃと、単語帳３３ｃと、ヒストリ一覧３５ｃと、電子辞書ＩＤ３７ｃとが格納される。ＣＰＵ１１０は、辞書ＤＢ３１ｃをメモリカード３０ｃに書き込む際に、ＲＯＭ１６０ｃに格納されている装置ＩＤ１６７ｃを電子辞書ＩＤ３７ｃとして、メモリカード３０ｃ内に登録する処理を行う。
【０１４１】
単語帳３３ｃは、上記したように、ユーザ操作によって選択された見出語と当該見出語の説明部分情報とを対応付けて記憶する。図２１は、単語帳３３ｃのデータ構成例を示す図である。例えば、レコードＬ１０では、見出語“ｃｏｎｓｉｓｔｅｎｔ”と対応付けて、説明情報中の語義番号１及び語義番号３の語義が説明部分情報として登録されている。
【０１４２】
ヒストリ一覧３５ｃは、当該時点までに辞書ＤＢ３１ｃから読み出されて表示された説明情報の見出語を、検索履歴として蓄積記憶する。
【０１４３】
２．携帯電話機
図２２は、第３実施形態における携帯電話機２０ｃの機能構成の一例を示すブロック図である。図２２に示すように、携帯電話機２０ｃは、ＣＰＵ２１０と、送話装置２２０と、受話装置２３０と、入力装置２４０と、表示装置２５０と、通信装置２６０と、ＲＡＭ２７０ｃと、ＲＯＭ２８０ｃと、カードスロット２９０とを備えて構成されている。
【０１４４】
ＲＡＭ２７０ｃは、使用可辞書種別データ種別格納領域２７１ｃを備える。この使用可辞書種別データ種別格納領域２７１ｃには、管理サーバ７０ｃから使用許可通知とともに送信された使用可辞書種別データ種別を一時的に保持する。
【０１４５】
ＲＯＭ２８０ｃには、第３実施形態を実現するため、特に、第３携帯側辞書使用処理プログラム２８１ｃと、携帯電話機２０ｃ側でメモリカード３０ｃ内の単語帳３３ｃを閲覧するための携帯側単語帳表示プログラム２８３ｃと、ヒストリ一覧３５ｃを閲覧するための携帯側携帯側ヒストリ表示プログラム２８５ｃと、携帯電話機２０ｃ側でヒストリの装置の個体識別が可能な携帯ＩＤ２８３ａとが格納される。
【０１４６】
携帯側単語帳表示プログラム２８３ｃは、単語帳表示処理を実行するためのプログラムである。具体的には、ＣＰＵ２１０は、単語帳の表示操作に応じて、単語帳３３ｃに登録されている見出語を読み出して一覧表示する制御を行う。そして、ＣＰＵ２１０は、ユーザ操作によって選択された見出語に対応する説明部分情報を単語帳３３ｃから読み出して表示する制御を行う。尚、単語帳３３ｃの表示の仕方はこれに限定されるものではなく、例えば、単語帳３３ｃに登録された見出語と、対応する説明部分情報とを所定の操作に応じて切り替えて表示する制御を行うこととしてもよい。
【０１４７】
携帯側携帯側ヒストリ表示プログラム２８５ｃは、携帯側ヒストリ表示処理を実行するためのプログラムである。具体的には、ＣＰＵ２１０は、ヒストリの表示操作に応じて、ヒストリ一覧３５ｃを参照してヒストリ見出語の一覧（ヒストリ一覧）を表示する制御を行う。
また、ＣＰＵ２１０は、ヒストリ一覧から一のヒストリ見出語が選択された場合に、使用可辞書種別データ格納領域２７１ｃを参照してメモリカード３０ｃ内の辞書ＤＢ３１ｃの使用可否を判別し、その使用可となっている場合には対応する説明情報を辞書ＤＢ３１ｃから読み出して表示する制御を行う。一方、ＣＰＵ２１０は、使用不可となっている場合には、ＰＣ４０の具備する通信装置４５を介してネットワークＮに接続し、ネット辞書ＤＢを公開している辞書サーバ７０ｃから対応する説明情報を取得して表示する制御を行う。
【０１４８】
［処理の流れ］
次に、図２３〜図２９を参照して、電子辞書１０ｃ及び携帯電話機２０ｃにおける処理の流れについて説明する。尚、以下では、第１実施形態で図６に示して説明した電子辞書側の処理と同様の処理工程には、同一の符号を付して適宜説明は省略する。
【０１４９】
先ず、図２３に示すフローチャートを参照して、管理サーバ７０ｃ側の処理の流れについて説明する。図２３に示すように、管理サーバ７０ｃでは、電子辞書１０ｃから、電子辞書ＩＤ、登録携帯ＩＤ、及び認証対象辞書データ種別が対応付けられたユーザ登録要求を受信した場合に（ステップｇ１０：ＹＥＳ）、受信した電子辞書ＩＤと対応付けて、登録携帯ＩＤと、認証対象辞書データ種別とを登録ユーザ管理情報７１ｃに登録する（ステップｇ２０）。
【０１５０】
また、管理サーバ７０ｃでは、携帯電話機２０ｃから、電子辞書ＩＤ、携帯ＩＤ、及び使用辞書データ種別とが対応付けられた認証要求を受信した場合に（ステップｇ３０：ＹＥＳ）、登録ユーザ管理情報７１ｃから受信した電子辞書ＩＤに対応する登録携帯ＩＤを読み出す（ステップｇ４０）。そして、読み出した登録携帯ＩＤが受信した携帯ＩＤと一致した場合には（ステップｇ５０：ＹＥＳ）、続いて、対応する認証対象辞書データ種別を読み出す（ステップｇ６０）。そして、読み出した認証対象辞書データ種別に受信した使用辞書データ種別が含まれる場合には（ステップｇ７０：ＹＥＳ）、読み出した認証対象辞書データ種別を使用可辞書データとして、使用許可通知を当該携帯電話機２０ｃに送信する（ステップｇ８０）。
【０１５１】
一方、登録ユーザ管理情報７１ｃから読み出した登録携帯ＩＤが受信した携帯ＩＤと一致しない場合（ステップｇ５０：ＮＯ）、或いは登録ユーザ管理情報７１ｃから読み出した認証対象辞書データ種別に受信した使用辞書データ種別が含まれない場合には（ステップｇ７０：ＮＯ）、使用不可通知を当該携帯電話機２０ｃに送信する（ステップｇ９０）。
【０１５２】
そして、ステップｇ９０の使用不可通知に応答して当該携帯電話機２０ｃから辞書データ購入要求が通知された場合には（ステップｇ１００：ＹＥＳ）、辞書データの利用金額を課金額として徴収するための当該携帯電話機２０ｃのユーザに対する課金処理を実行する（ステップｇ１１０）。この課金額は、例えば辞書データ種別に応じて設定される。具体例としては、課金額は、単語帳、ヒストリ一覧、辞書ＤＢの順で高く設定される。
【０１５３】
続いて、ステップｇ３０において認証要求とともに受信した携帯ＩＤを登録携帯ＩＤとし、使用辞書データ種別を認証対象辞書種別データとして、受信した電子辞書ＩＤと対応付けて登録ユーザ管理情報７１ｃに登録する（ステップｇ１２０）。そして、ステップｇ８０に移行し、受信した電子辞書ＩＤに対応する認証対象辞書データ種別を使用可辞書データとして、使用許可通知を当該携帯電話機２０ｃに送信する。
【０１５４】
次に、図２４に示すフローチャートを参照して、電子辞書１０ｃ側の処理の流れについて説明する。
【０１５５】
図２４に示すように、電子辞書１０ｃのＣＰＵ１１０は、ユーザ操作によって携帯ＩＤ登録モードが指定された場合には（ステップａ５０：ＹＥＳ）、携帯ＩＤ登録モードに移行し、先ず、携帯電話番号の入力操作を受け付ける（ステップａ８０）。次いで、ＣＰＵ１１０は、認証対象辞書データ種別の入力操作を受け付ける（ステップｈ７０）。
【０１５６】
そして、ＣＰＵ１１０は、ステップａ６０で入力された携帯電話番号を登録携帯ＩＤとし、当該登録携帯ＩＤ、装置ＩＤ１６７ｃである電子辞書ＩＤ、及びステップｈ７０で入力された認証対象辞書データ種別とともに、ユーザ登録要求を管理サーバ７０ｃに送信する（ステップｈ８０）。
【０１５７】
また、ＣＰＵ１１０は、ユーザ操作によって辞書引きモードが指定された場合には（ステップａ８０：ＹＥＳ）、辞書引きモードに移行して第３電子辞書側辞書使用処理を実行する（ステップｈ９０）。
第３実施形態では、この第３電子辞書側辞書使用処理において当該電子辞書１０ｃによるメモリカード３０ｃ内の辞書ＤＢ３１ｃの使用が許可された際に実行される辞書引き処理（例えば第１実施形態において図７に示して説明したステップｂ５０に対応）として、単語帳機能を実現するための単語帳処理と、ヒストリ機能を実現するためのヒストリ処理とがユーザ操作に従って実行される。
【０１５８】
図２５は、電子辞書１０ｃにおける単語帳処理の流れを説明するためのフローチャートである。尚、ここで説明する処理は、ＣＰＵ１１０が単語帳処理プログラム１６３ｃを読み出して実行することにより実現される。
【０１５９】
この単語帳処理において、電子辞書１０ｃのＣＰＵ１１０は、説明情報の表示制御中に単語帳の登録指示が為された場合に（ステップｉ１０：ＹＥＳ）、説明情報中の文字列の選択操作を受け付ける（ステップｉ２０）。そして、文字列の確定操作が為された場合には（ステップｉ３０：ＹＥＳ）、ＣＰＵ１１０は、選択された文字列を説明部分情報とし、見出語と対応付けて単語帳３３ｃに登録する（ステップｉ４０）。
【０１６０】
また、ＣＰＵ１１０は、単語帳の表示操作が為された場合に（ステップｉ５０：ＹＥＳ）、単語帳３３ｃに登録されている見出語を読み出して一覧表示する制御を行う（ステップｉ６０）。続いて、ＣＰＵ１１０は、一覧表示した見出語の選択操作を受け付ける（ステップｉ７０）。そして、確定操作に応じて（ステップｉ８０：ＹＥＳ）、ＣＰＵ１１０は、対応する説明部分情報を単語帳３３ｃから読み出して表示する制御を行う（ステップｉ９０）。
【０１６１】
ここで、電子辞書１０ｃにおけるヒストリ単語帳の登録に係る操作例について、図２６を参照して説明する。
【０１６２】
図２６（ａ）は、電子辞書１０ｃのユーザが、辞書ＤＢ３１ｂの一例である英和辞典の辞書ＤＢから読み出した見出語“ｃｏｎｓｉｓｔｅｎｔ”の説明情報を表示した説明情報表示画面Ｗ１０の一例を示す図である。この説明情報表示画面Ｗ１０において、単語帳の登録指示を入力すると、図２６（ｂ）に示すように、領域Ｅ１０において説明部分情報の選択を促すメッセージが表示される。
【０１６３】
図２６（ｂ）に示す説明情報表示画面Ｗ１３において、例えば反転表示Ｍ１０によって文字列“〔・・・と〕一致する”を選択するとともに、反転表示Ｍ１３によって文字列“〔言行・主義などで〕一貫した”を選択することにより、説明部分情報を選択する。この結果、ＣＰＵ１１０により、下線ＵＬ１０が付されている見出語“ｃｏｎｓｉｓｔｅｎｔ”と、反転表示Ｍ１０及びＭ１３によって選択した説明部分情報とが対応付けられて、単語帳３３ｃに登録される。
【０１６４】
図２６（ｃ）は、前述の図２６（ａ）及び図２６（ｂ）に関する操作の後、単語帳の表示指示を入力し、続いて表示される図示しない単語一覧画面において表示された見出語の中から見出語“ｃｏｎｓｉｓｔｅｎｔ”を選択して確定指示を入力した場合に表示される単語帳画面Ｗ１５の一例を示す図である。図２６（ｃ）に示すように、単語帳画面Ｗ１５には、選択した見出語“ｃｏｎｓｉｓｔｅｎｔ”に対応する説明部分情報が単語帳３３ｃから読み出されて表示される。
【０１６５】
また、ヒストリ処理については図示しないが、ＣＰＵ１１０は、ヒストリ処理プログラム１６５ｃに従い、辞書引き処理中に説明情報を表示させた見出語をヒストリ見出語とし、ヒストリ一覧３５ｃに登録する。また、ＣＰＵ１１０は、ヒストリの表示指示が為された場合に、ヒストリ一覧３５ｃに登録されているヒストリ見出語を読み出して一覧表示し、一覧から選択されたヒストリ見出語に対応する説明情報を辞書ＤＢ３１ｃから読み出して表示する制御を行う。
【０１６６】
ここで、電子辞書１０ｃにおけるヒストリ見出語の登録に係る操作例について、図２７を参照して説明する。
【０１６７】
図２７（ａ）は、電子辞書１０ｃのユーザが、辞書ＤＢ３１ｃの一例である英和辞典の辞書ＤＢを起動した場合に表示装置１３０に表示される検索語入力画面Ｗ２０の一例を示す図である。例えば、図２７（ａ）に示すように、入力文字Ｉ２０である“ｌｉｆｅ”を入力して確定操作を行うと、入力文字“ｌｉｆｅ”に適合する見出語が検索され、図２７（ｂ）に示すように、見出語“ｌｉｆｅ”に対応する説明情報を表示した説明情報表示画面Ｗ２３が表示される。
【０１６８】
図２７（ｃ）は、前述の図２７（ａ）及び図２７（ｂ）に関する操作の後、ヒストリの表示指示を入力した場合に表示されるヒストリ一覧表示画面Ｗ２５の一例を示す図である。図２７（ｃ）に示すように、ヒストリ一覧表示画面Ｗ２５には、過去に説明情報を表示させたヒストリ見出語が一覧表示される。このヒストリ一覧表示画面Ｗ２５には、図２７（ｂ）の説明情報表示画面Ｗ２３で表示させた説明情報の見出語である“ｌｉｆｅ”がヒストリ見出語として表示されている。
【０１６９】
次に、図２８に示すフローチャートを参照して、携帯電話機２０ｃにおける第３携帯側辞書使用処理の流れについて説明する。尚、ここで説明する処理は、ＣＰＵ２１０が第３携帯側辞書使用処理プログラム２８１ｃを読み出して実行することにより実現される。
【０１７０】
図２８に示すように、携帯電話機２０ｃのＣＰＵ２１０は、先ず、カードスロット２９０にメモリカード３０ｃが装着されているか否かを検知する。そして、ＣＰＵ２１０は、メモリカード３０ｃが装着されている場合には（ステップｊ１０：ＹＥＳ）、続いてメモリカード３０ｃ内に辞書ＤＢが書き込まれているか否かを検知する。そして、ＣＰＵ２１０は、書き込まれていると検知された場合には（ステップｊ２０：ＹＥＳ）、続いて電子辞書ＩＤ３７ｃを読み出す（ステップｊ３０）。
【０１７１】
次に、ＣＰＵ２１０は、メモリカード３０ｃに書き込まれている辞書データの種別を検知し、このうちの使用辞書データ種別の指定操作を受け付ける（ステップｊ４０）。そして、ＣＰＵ２１０は、ステップｊ３０読み出した電子辞書ＩＤ３７ｃ、ステップｊ４０で指定された使用辞書データ種別、及び自機の携帯ＩＤ２８３ａとともに、認証要求を管理サーバ７０ｃに送信する（ステップｊ５０）。
【０１７２】
そして、ＣＰＵ２１０は、管理サーバ７０ｃから使用許可通知を受信した場合には（ステップｊ６０：ＹＥＳ）、ステップｊ４０で指定された使用辞書データ種別に応じた分岐処理を実行し（ステップｊ７０）、使用辞書データ種別に応じた辞書引き処理を実行する。尚この際、管理サーバ７０ｃから使用許可通知とともに送信された使用可辞書データ種別が、使用可辞書データ種別格納領域２７１ｃに保持される。
【０１７３】
すなわち、使用辞書データ種別が辞書ＤＢの場合には、ＣＰＵ２１０は、辞書検索処理を実行する（ステップｊ８０）。また、使用辞書データ種別が単語帳の場合には、ＣＰＵ２１０は、単語帳表示処理を実行する（ステップｊ９０）。
【０１７４】
そして、使用辞書データ種別がヒストリ一覧の場合には、ＣＰＵ２１０は、携帯側ヒストリ表示処理を実行する（ステップｊ１００）。図２９は、携帯電話機２０ｃにおける携帯側ヒストリ表示処理の流れを説明するためのフローチャートである。尚、ここで説明する処理は、ＣＰＵ２１０が携帯側携帯側ヒストリ表示プログラム２８５ｃを読み出して実行することにより実現される。
【０１７５】
すなわち、携帯電話機２０ｃのＣＰＵ２１０は、ヒストリ一覧３５ｃに登録されているヒストリ見出語を読み出して一覧表示する制御を行う（ステップｋ１０）。続いて、ＣＰＵ２１０は、一覧表示したヒストリ見出語の選択操作を受け付ける（ステップｋ２０）。そして、確定操作に応じて（ステップｋ３０：ＹＥＳ）、ＣＰＵ２１０は、使用可辞書データ種別格納領域２７１ｃを参照してメモリカード３０ｃ内の辞書ＤＢ３１ｃの使用可否を判別する（ステップｋ４０）。
【０１７６】
そして、ＣＰＵ２１０は、ステップｋ４０の結果、メモリカード３０ｃ内の辞書ＤＢ３１ｃが使用可となっている場合には、ステップｋ２０で選択されたヒストリ見出語に対応する説明情報を辞書ＤＢ３１ｃから読み出して表示する制御を行う（ステップｋ５０）。
【０１７７】
一方、ＣＰＵ２１０は、使用不可となっている場合には、ＰＣ４０の具備する通信装置４５を介してネットワークＮに接続し、ネット辞書ＤＢを公開している辞書サーバ６０ｃに接続してヒストリ見出語を指定した検索要求を送信し、当該接続した辞書サーバ６０ｃからステップｋ２０で選択されたヒストリ見出語に対応する説明情報を取得する（ステップｋ６０）。そして、ＣＰＵ２１０は、取得した説明情報を表示する制御を行う（ステップｋ７０）。
【０１７８】
ここで、携帯電話機２０ｃにおけるヒストリ見出語の閲覧に係る操作例について、図３０を参照して説明する。
【０１７９】
図３０（ａ）は、携帯電話機２０ｃのユーザが、ヒストリの表示指示を入力した場合に表示装置２５０に表示されるヒストリ一覧表示画面Ｗ３０の一例を示す図である。図３０（ａ）に示すように、ヒストリ一覧表示画面Ｗ３０には、メモリカード３０ｃ内のヒストリ一覧３５ｃに格納されているヒストリ見出語が一覧表示される。また、このヒストリ一覧表示画面Ｗ３０において、ヒストリ見出語を指定するためのヒストリ選択マーカＭ３０により、最上段のヒストリ見出語“ｌｉｆｅ”が反転表示されて選択状態となっている。
【０１８０】
この場合には、ＣＰＵ２１０により、ヒストリ一覧３５ｃに登録されているヒストリ見出語を読み出して一覧表示する制御が行われる（図２９に示すステップｋ１０）
【０１８１】
そして、図３０（ｂ）に示すように、ヒストリ一覧表示画面Ｗ３３において、ヒストリ選択マーカＭ３３によりヒストリ見出語“ｐｒｏｇｒａｍ”を選択し、確定操作を入力すると、図３０（ｃ）に示すように、対応する説明情報を表示した説明情報表示画面Ｗ３５が表示される。
【０１８２】
この場合には、ＣＰＵ２１０により以下の内部処理が実行される。すなわち、メモリカード３０ｃ内の辞書ＤＢ３１ｃが使用可となっている場合に、選択されたヒストリ見出語に対応する説明情報を辞書ＤＢ３１ｃから読み出して表示する制御を行う（図２９に示すステップｋ４０→５０）。
一方、使用不可となっている場合には、ＰＣ４０の具備する通信装置４５を介してネットワークＮに接続し、ネット辞書ＤＢを公開している辞書サーバ６０ｃ選択されたヒストリ見出語に対応する説明情報を取得する（ステップｋ６０）。そして、取得した説明情報を表示する制御を行う（図２９に示すステップｋ７０）。
【０１８３】
図２８に戻り、ＣＰＵ２１０は、管理サーバ７０ｃから使用不可通知を受信した場合には（ステップｊ６０：ＮＯ）、続いて、当該辞書データを購入するか否かの選択を促す購入確認のメッセージを表示装置２５０に表示する制御を行う。そして、ＣＰＵ２１０は、購入指示が入力された場合には（ステップｊ１０５：ＹＥＳ）、管理サーバ７０ｃに辞書データ購入要求を通知し（ステップｊ１１０）、ステップｊ６０に移行して使用許可通知を受信するまで待機状態となる。
【０１８４】
一方、購入指示が為されなかった場合には（ステップｊ１０５：ＮＯ）、使用不可メッセージを表示して（ステップｊ１２０）、本処理を終了する。
【０１８５】
以上説明したように、第３実施形態によれば、電子辞書１０ｃにおいて、カードスロット１７０に装着されたメモリカード３０ｃに辞書ＤＢ３１ｃや、単語帳３３ｃ、ヒストリ一覧３５ｃといた複数種類の辞書データを書き込むとともに、メモリカード３０ｃ内の辞書データの使用を許可する携帯電話機２０ｃの携帯ＩＤ２８３ａを登録携帯ＩＤとし、当該登録携帯ＩＤの携帯電話機で使用可能な辞書データ種別と、電子辞書ＩＤとともに、携帯ＩＤの認証処理を実行する管理サーバ７０ｃに送信することができる。したがって、携帯電話機毎に、それぞれ使用可能な辞書データを辞書データ種別単位で指定することができる。
【０１８６】
そして、携帯電話機２０ｃでは、辞書データが書き込まれているメモリカード３０ｃがカードスロット２９０に装着された際に、メモリカード３０ｃ内に登録される電子辞書ＩＤ３７ｃを、自機の携帯ＩＤ２８３ａとともに管理サーバに送信して辞書データの使用可否を問い合わせることができる。この結果、管理サーバ７０ｃから使用許可通知を受信した場合に、当該携帯電話機２０ｃにおいて、メモリカード３０ｃに書き込まれている使用辞書データ種別の辞書データの使用が可能となる。一方、管理サーバ７０ｃから使用不可通知を受信した場合には、ユーザ操作に従って、メモリカード３０ｃ内の辞書データを購入することができる。
【０１８７】
また、管理サーバ７０ｃにおいて、メモリカード３０ｃ内に辞書データを書き込む手段を有する電子辞書１０ｃの電子辞書ＩＤと対応付けて、当該電子辞書１０ｃによってメモリカード３０ｃに書き込まれた辞書データを閲覧表示可能な携帯電話機の登録携帯ＩＤと、当該携帯電話機によって閲覧表示が可能な辞書データとを管理することができる。そして、認証要求を受信した際に、登録ユーザ管理情報７１ｃから受信した電子辞書ＩＤと対応付けられた登録携帯ＩＤを読み出し、受信した携帯ＩＤと一致するか否かを判別するとともに、さらに、対応する認証対象辞書データ種別を読み出し、受信した使用辞書データ種別を含むか否かを判別することで、辞書データの使用可否を判別することができる。
【０１８８】
また、携帯電話機２０ｃによる辞書データの使用が許可されなかった場合には、当該携帯電話機２０ｃからの辞書データ購入要求に応じて、当該辞書データの種別に応じた利用金額を課金額として徴収するための当該携帯電話機２０ｃのユーザに対する課金処理を実行することができる。これにより、使用を許可する辞書データの種別に応じた課金処理を行うことが可能となる。具体例としては、例えば、辞書データ種別が辞書ＤＢの場合の課金額と比較して、単語帳やヒストリ一覧の課金額を低く設定する。これにより、メモリカード３０ｃに書き込まれた単語帳やヒストリ一覧を利用し易くすることができる。
【０１８９】
これにより、予めメモリカード３０ｃ内の辞書ＤＢ３１ｃの使用を許可する携帯電話機２０ｂの携帯ＩＤと、当該携帯電話機２０ｃでの使用が可能な辞書データの種別とを管理サーバ７０ｃに登録しておくことにより、電子辞書１０ｃにおいてメモリカード３０ｃに書き込んだ辞書ＤＢ３１ｃを、電子辞書１０ｂと当該携帯電話機２０ｃとで使用することができる。
【０１９０】
尚、上記した第１〜第３実施形態では、電子辞書１０においてメモリカード３０に書き込まれた辞書データを携帯電話機２０で閲覧する場合を例にとって説明したが、メモリカード３０に書き込まれるデータはこれに限定されるものではなく、例えば、電子書籍や電子教材といった各種のコンテンツデータであってもよい。
【０１９１】
また、メモリカード３０内に格納される辞書データを所定の暗号化処理により、例えば携帯ＩＤを暗号鍵として暗号化することとしても構わない。
【０１９２】
また、上記した実施形態では、本発明の電子機器を電子辞書及び携帯電話機に適用した場合について説明したが、本発明を適用可能な電子機器はこのような製品に限定されるものではなく、電子手帳やＰＤＡ、パソコン等、電子機器全般に適用可能である。
【図面の簡単な説明】
【０１９３】
【図１】電子辞書の斜視概観例を示す図。
【図２】電子辞書とＰＣとの接続例を示す図。
【図３】第１実施形態におけるシステム構成の概略図。
【図４】第１実施形態における電子辞書の機能構成の一例を示すブロック図。
【図５】第１実施形態における携帯電話機の機能構成の一例を示すブロック図。
【図６】第１実施形態における電子辞書側の処理の流れを説明するためのフローチャート。
【図７】電子辞書側辞書使用処理の流れを説明するためのフローチャート。
【図８】第１携帯側辞書使用処理の流れを説明するためのフローチャート。
【図９】第２実施形態におけるシステム構成の概略図。
【図１０】第２実施形態における登録ユーザ管理情報のデータ構成例を示す図。
【図１１】第２実施形態におけるデータの流れを説明するための図。
【図１２】第２実施形態における電子辞書の機能構成の一例を示すブロック図。
【図１３】第２実施形態における携帯電話機の機能構成の一例を示すブロック図。
【図１４】第２実施形態における管理サーバ側の処理の流れを説明するためのフローチャート。
【図１５】第２実施形態における電子辞書側の処理の流れを説明するためのフローチャート。
【図１６】第２携帯側辞書使用処理の流れを説明するためのフローチャート。
【図１７】第３実施形態におけるシステム構成の概略図。
【図１８】第３実施形態における登録ユーザ管理情報のデータ構成例を示す図。
【図１９】第３実施形態におけるデータの流れを説明するための図。
【図２０】第３実施形態における電子辞書の機能構成の一例を示すブロック図。
【図２１】単語帳のデータ構成例を示すブロック図。
【図２２】第３実施形態における携帯電話機の機能構成の一例を示すブロック図。
【図２３】第３実施形態における管理サーバ側の処理の流れを説明するためのフローチャート。
【図２４】第３実施形態における電子辞書側の処理の流れを説明するためのフローチャート。
【図２５】単語帳処理の流れを説明するためのフローチャート。
【図２６】電子辞書の表示装置に表示される表示画面の一例を示す図。
【図２７】電子辞書の表示装置に表示される表示画面の一例を示す図。
【図２８】第３携帯側辞書使用処理の流れを説明するためのフローチャート。
【図２９】携帯側ヒストリ表示処理の流れを説明するためのフローチャート。
【図３０】携帯電話機の表示装置に表示される表示画面の一例を示す図。
【符号の説明】
【０１９４】
１０ａ            電子辞書
１１０          ＣＰＵ
１２０          入力装置
１３０          表示装置
１４０          伝送制御装置
１５０          ＲＡＭ
１６０ａ        ＲＯＭ
１６１ａ      第１電子辞書側辞書使用処理プログラム
１６３ａ      装置ＩＤ
１７０          カードスロット
２０ａ            携帯電話機
２１０          ＣＰＵ
２２０          送話装置
２３０          受話装置
２４０          入力装置
２５０          表示装置
２６０          通信装置
２７０ａ        ＲＡＭ
２８０ａ        ＲＯＭ
２８１ａ      第１携帯側辞書使用処理プログラム
２８３ａ      携帯ＩＤ
２９０          カードスロット
３０ａ            メモリカード
３１ａ        辞書ＤＢ
３３ａ        ＩＤ情報
３３１ａ    電子辞書ＩＤ
３３３ａ    登録携帯ＩＤ
４０              ＰＣ
Ｎ                  ネットワーク
【図１】
2006099669.tif 000003
【図２】
2006099669.tif 000004
【図３】
2006099669.tif 000005
【図４】
2006099669.tif 000006
【図５】
2006099669.tif 000007
【図６】
2006099669.tif 000008
【図７】
2006099669.tif 000009
【図８】
2006099669.tif 000010
【図９】
2006099669.tif 000011
【図１０】
2006099669.tif 000012
【図１１】
2006099669.tif 000013
【図１２】
2006099669.tif 000014
【図１３】
2006099669.tif 000015
【図１４】
2006099669.tif 000016
【図１５】
2006099669.tif 000017
【図１６】
2006099669.tif 000018
【図１７】
2006099669.tif 000019
【図１８】
2006099669.tif 000020
【図１９】
2006099669.tif 000021
【図２０】
2006099669.tif 000022
【図２１】
2006099669.tif 000023
【図２２】
2006099669.tif 000024
【図２３】
2006099669.tif 000025
【図２４】
2006099669.tif 000026
【図２５】
2006099669.tif 000027
【図２６】
2006099669.tif 000028
【図２７】
2006099669.tif 000029
【図２８】
2006099669.tif 000030
【図２９】
2006099669.tif 000031
【図３０】
2006099669.tif 000032